(57)【要約】  すべての露光対象領域に精度良く光エネルギを照射できる基板および露光方法を提供すること。  光源５２１と、光源５２１が発する光エネルギが透過可能な透光パターン５２２１が形成されるマスク５２２とを備える複数の露光ユニット５２を有する露光装置５を用い、基板１と露光ユニット５２とを相対的に移動させながら基板１に対してマスク５２２に形成される透光パターン５２２１を通じて光エネルギを照射するとともに、マスク５２２があるサイズの表示領域１１ａと他のサイズの表示領域１１ｂとに跨る露光ユニット５２においては、基板１に形成されるアライメントパターン１２をマスク５２２の位置決めの制御の基準として用い、あるサイズの表示領域１１ａと他のサイズの表示領域１１ｂの両方に光エネルギを照射する。
2011090057.tif 000002
【特許請求の範囲】
【請求項１】
あるサイズの複数の露光対象領域と、
前記あるサイズとは異なる他のサイズの複数の露光対象領域と、
が形成されるとともに、
前記あるサイズの複数の露光対象領域が形成される範囲と、前記他のサイズの複数の露光対象領域が形成される範囲との間に、前記露光対象領域に対して露光する際に光エネルギの照射位置の制御の基準となるアライメントパターンが形成されることを特徴とする基板。
【請求項２】
前記アライメントパターンの輪郭には、前記あるサイズの複数の露光対象領域が形成される範囲と、前記他のサイズの露光対象領域が形成される範囲との境界に沿った直線の部分を含むことを特徴とする請求項１に記載の基板。
【請求項３】
前記アライメントパターンは、前記あるサイズの複数の露光対象領域が形成される範囲と、前記他のサイズの露光対象領域が形成される範囲との境界に沿った帯状または線状に形成されることを特徴とする請求項１または請求項２に記載の基板。
【請求項４】
あるサイズの複数の露光対象領域が配列される列と、
前記あるサイズの複数の露光対象領域が配列される列に隣接し前記あるサイズとは異なる他のサイズの複数の露光対象領域が配列される列と、
が形成されるとともに、
前記あるサイズの複数の露光対象領域が配列される列と、前記他のサイズの複数の露光対象領域が配列される列との間に、前記露光対象領域に対して露光する際に光エネルギの照射位置の制御の基準となるアライメントパターンが形成されることを特徴とする基板。
【請求項５】
前記あるサイズの複数の露光対象領域が配列される列と、前記他のサイズの複数の露光対象領域が配列される列とは平行であり、前記アライメントパターンの輪郭には、前記あるサイズの複数の露光対象領域が配列される列および前記他のサイズの複数の露光対象領域が配列される列に平行な直線の部分が含まれることを特徴とする請求項４に記載の基板。
【請求項６】
前記あるサイズの複数の露光対象領域が配列される列と、前記他のサイズの複数の露光対象領域が配列される列とは平行であり、前記アライメントパターンは、前記あるサイズの複数の露光対象領域が配列される列および前記他のサイズの複数の露光対象領域が配列される列に平行な帯状または線状に形成されることを特徴とする請求項４または請求項５に記載の基板。
【請求項７】
画像を表示するための表示領域を有する複数の表示パネル用の基板を製造するための多面取りの基板であって、
あるサイズの複数の前記表示領域と、
前記あるサイズとは異なる他のサイズの複数の前記表示領域と、
が形成されるとともに、
あるサイズの複数の前記表示領域が形成される範囲と、前記他のサイズの複数の前記表示領域が形成される範囲との間に、前記表示領域に対して露光する際に光エネルギの照射位置の制御の基準となるアライメントパターンが形成されることを特徴とする基板。
【請求項８】
前記アライメントパターンの輪郭には、前記あるサイズの複数の前記表示領域が形成される範囲と、前記他のサイズの複数の前記表示領域が形成される範囲との境界に沿った直線の部分を含むことを特徴とする請求項７に記載の基板。
【請求項９】
前記アライメントパターンは、前記あるサイズの複数の前記表示領域が形成される範囲と、前記他のサイズの複数の前記表示領域が形成される範囲との境界に沿った帯状または線状に形成されることを特徴とする請求項７または請求項８に記載の基板。
【請求項１０】
前記表示領域には複数の絵素が配列され、
前記アライメントパターンには、前記複数の絵素の配列方向に平行な直線の部分が含まれることを特徴とする請求項７に記載の基板。
【請求項１１】
前記表示領域には複数の絵素電極が互いに直交する二つの方向にマトリックス状に配列されるとともに、前記複数の絵素の配列方向の一方に平行な走査線と、前記複数の絵素の配列方向の他方に平行なデータ線とが形成され、
前記アライメントパターンの輪郭には、前記複数の絵素の配列方向の一方と前記走査線に平行な直線の部分が含まれるか、または、前記複数の絵素の配列方向の他方と前記データ線に平行な直線の部分が含まれることを特徴とする請求項１０に記載の基板。
【請求項１２】
前記アライメントパターンは、前記走査線または前記データ線と同じ材料により形成されることを特徴とする請求項１１に記載の基板。
【請求項１３】
前記表示領域には、互いに直交する複数の帯状または線状の部分を有するブラックマトリックスとカラー表示用の着色層が形成されるとともに、
前記アライメントパターンの輪郭には、前記互いに直交する帯状または線状の部分の方向のいずれか一方に平行な直線の部分が含まれることを特徴とする請求項１０に記載の基板。
【請求項１４】
前記アライメントパターンは、前記ブラックマトリックスまたは前記着色層と同じ材料により形成されることを特徴とする請求項１３に記載の基板。
【請求項１５】
画像を表示するための表示領域を有する複数の表示パネル用の基板を製造するための多面取りの基板であって、
あるサイズの複数の前記表示領域が配列される列と、
前記あるサイズの複数の前記表示領域が配列される列に隣接し前記あるサイズとは異なる他のサイズの複数の前記表示領域が配列される列と、
が形成され、
前記あるサイズの複数の前記表示領域が配列される列と、前記他のサイズの複数の前記表示領域が配列される列との間に、前記表示領域に対して露光する際に光エネルギの照射位置の制御の基準となるアライメントパターンが形成されることを特徴とする基板。
【請求項１６】
前記あるサイズの複数の前記表示領域が配列される列と、前記他のサイズの複数の前記表示領域が配列される列とは平行であり、
前記アライメントパターンの輪郭には、前記あるサイズの複数の前記表示領域が配列される列および前記他のサイズの複数の前記表示領域が配列される列に平行な直線の部分が含まれることを特徴とする請求項１５に記載の基板。
【請求項１７】
前記あるサイズの複数の前記表示領域が配列される列と、前記他のサイズの複数の前記表示領域が配列される列とは平行であり、前記アライメントパターンは、前記あるサイズの複数の前記表示領域が配列される列および前記他のサイズの複数の前記表示領域が配列される列に平行な帯状または線状に形成されることを特徴とする請求項１５または請求項１６に記載の基板。
【請求項１８】
前記表示領域には複数の絵素が配列され、
前記アライメントパターンには、前記複数の絵素の配列方向に平行な直線の部分が含まれることを特徴とする請求項１５に記載の基板。
【請求項１９】
前記表示領域には複数の絵素電極が互いに直交する二つの方向にマトリックス状に配列されるとともに、前記複数の絵素の配列方向の一方に平行な走査線と、前記複数の絵素の配列方向の他方に平行なデータ線とが形成され、
前記アライメントパターンの輪郭には、前記複数の絵素の配列方向の一方と前記走査線に平行な直線の部分が含まれるか、または、前記複数の絵素の配列方向の他方と前記データ線に平行な直線の部分が含まれることを特徴とする請求項１６に記載の基板。
【請求項２０】
前記アライメントパターンは、前記走査線または前記データ線と同じ材料により形成されることを特徴とする請求項１９に記載の基板。
【請求項２１】
前記表示領域には、互いに直交する複数の帯状または線状の部分を有するブラックマトリックスとカラー表示用の着色層が形成されるとともに、
前記アライメントパターンの輪郭には、前記互いに直交する帯状または線状の部分の方向のいずれか一方に平行な直線の部分が含まれることを特徴とする請求項１６に記載の基板。
【請求項２２】
前記アライメントパターンは、前記ブラックマトリックスまたは前記着色層と同じ材料により形成されることを特徴とする請求項２１に記載の基板。
【請求項２３】
請求項１から請求項６のいずれか一項に記載の基板に対する露光方法であって、
光源と、前記光源が発する光エネルギが透過可能な透光パターンが形成されるマスクと、を備える複数の露光ユニットを有する露光装置を用い、
前記基板と前記露光ユニットとを相対的に移動させながら前記基板に対して前記マスクに形成される前記透光パターンを通じて光エネルギを照射するとともに、
前記マスクが前記あるサイズの露光対象領域と前記他のサイズの露光対象領域とに跨る前記露光ユニットは、前記アライメントパターンを前記マスクの位置決めの制御の基準として用い、前記あるサイズの露光対象領域と前記他のサイズの露光対象領域の両方に光エネルギを照射することを特徴とする露光方法。
【請求項２４】
請求項１から請求項６のいずれか一項に記載の基板に対する露光方法であって、
光源と、前記光源が発する光エネルギが透過可能な透光パターンと光エネルギの照射位置の制御に用いられる基準パターンとが形成されるマスクと、前記基準パターンと前記基板を撮像可能な撮像手段を備える複数の露光ユニットを有する露光装置を用い、
前記基板と前記露光ユニットとを相対的に移動させながら前記基板に対して前記マスクに形成される前記透光パターンを通じて光エネルギを照射するとともに、
前記マスクが前記あるサイズの露光対象領域と前記他のサイズの露光対象領域とに跨る前記露光ユニットは、前記撮像手段により前記アライメントパターンと前記基準パターンとを撮像して前記アライメントパターンと前記基準パターンとの間の距離を算出し、前記算出した距離に基づいて前記マスクの位置を調整し、前記あるサイズの露光対象領域と前記他のサイズの露光対象領域の両方に光エネルギを照射することを特徴とする露光方法。
【請求項２５】
請求項７から請求項２２のいずれか一項に記載の基板に対する露光方法であって、
光源と、前記光源が発する光エネルギが透過可能な透光パターンが形成されるマスクと、を備える複数の露光ユニットを有する露光装置を用い、
前記基板と前記露光ユニットとを相対的に移動させながら前記基板に対して前記マスクに形成される前記透光パターンを通じて光エネルギを照射するとともに、
前記マスクが前記あるサイズの表示領域と前記他のサイズの表示領域とに跨る前記露光ユニットは、前記アライメントパターンを前記マスクの位置決めの制御の基準として用い、前記あるサイズの表示領域と前記他のサイズの表示領域の両方に光エネルギを照射することを特徴とする露光方法。
【請求項２６】
請求項７から請求項２２のいずれか一項に記載の基板に対する露光方法であって、
光源と、前記光源が発する光エネルギが透過可能な透光パターンと光エネルギの照射位置の制御に用いられる基準パターンとが形成されるマスクと、前記基準パターンと前記基板を撮像可能な撮像手段を備える複数の露光ユニットを有する露光装置を用い、
前記基板と前記露光ユニットとを相対的に移動させながら前記基板に対して前記マスクに形成される前記透光パターンを通じて光エネルギを照射するとともに、
前記マスクが前記あるサイズの表示領域と前記他のサイズの表示領域とに跨る前記露光ユニットは、前記撮像手段により前記アライメントパターンと前記基準パターンとを撮像して前記アライメントパターンと前記基準パターンとの間の距離を算出し、前記算出した距離に基づいて前記マスクの位置を調整し、前記あるサイズの表示領域と前記他のサイズの表示領域の両方に光エネルギを照射することを特徴とする露光方法。
【請求項２７】
請求項２５または請求項２６に記載の露光方法を用いた光配向処理方法であって、
前記基板と前記露光ユニットの前記相対的な移動の方向に沿って配列される複数の絵素のそれぞれの一部の領域に対して、前記マスクに形成される前記透光パターンを通じてある方向から光エネルギを照射し、前記複数の絵素のそれぞれ他の一部の領域に対して前記ある方向とは異なる他の方向から前記マスクに形成される前記透光パターンを通じて光エネルギを照射することを特徴とする配向処理方法。
【発明の詳細な説明】
【技術分野】
【０００１】
本発明は、基板、基板に対する露光方法、光配向処理方法に関するものであり、詳しくは、液晶表示パネル用の基板または液晶表示パネルを製造するための基板であって、光配向処理に適した基板と、この基板に対する露光方法と、この露光方法が適用された光配向処理方法に関するものである。
【背景技術】
【０００２】
一般的な液晶表示パネルは、二枚の表示パネル用の基板を備え、これらの二枚の基板が所定の微小な間隔をおいて対向して配設され、それらの間に液晶が充填されるという構成を備える。一般的に、液晶表示パネル用の基板には、液晶の配向を規定するための配向膜が形成される。配向膜は、表示パネル用の基板の製造過程において形成され、配向処理が施される。この配向処理には、ラビングが広く用いられている。ラビングは、繊維材料などからなるラビングローラなどにより配向膜の表面を擦ることにより、所定の微小な凹凸（＝傷）を形成する方法（＝ラビングする方法）である。【０００３】
最近では、ラビングに代わる配向処理として、光配向が用いられるようになってきている。光配向は、配向膜に対して所定の向きから光エネルギ（たとえば、紫外線など）を照射して配向膜の表面性状を調整する方法である。光配向における光エネルギの照射方式としては、たとえば、所定の形状のパターンが設けられたマスクを基板表面に覆いかぶせるように載置し、その上方から紫外線などを照射する構成が用いられる（特許文献１参照）。このほか、所定のパターンを有するマスクと、光源を有する投影光学系とを有する露光装置を用いて、投影光学系が発する光をマスクを通じて基板に照射しながら、マスクおよび投影光学系と、基板とを相対的に移動させる方式が用いられることがある。【０００４】
投影光学系およびマスクと基板とを相対的に移動させながら光エネルギを照射する方式においては、マスクが、基板との相対移動の方向に対して直角な方向に位置ズレしないように、光エネルギを照射している間はマスクの位置を制御する。マスクの位置の制御方法としては、たとえば、次のような方法が用いられる。投影光学系およびマスクと基板とを相対的に移動させている間において、基板に形成される所定の要素（たとえば、表示領域に形成された走査線、データ線、ブラックマトリックスなど）と、マスクに設けられるアライメントマークとの間の距離（特に、相対移動の方向に直角な方向の距離）を継続的に測定する。そして、この距離が所定の値に維持されるように、マスクの位置を制御する。【０００５】
ところで、現在では、一枚のマザー基板から複数の表示パネル用の基板を製造する方法が広く用いられている。このような製造方法においては、表示パネル用の基板の製造工程において、一枚のマザー基板に複数の表示領域が形成される。そして、複数の表示領域が形成されたマザー基板（すなわち、分割する前のマザー基板）に配向膜が形成され、形成された配向膜に配向処理が施される。【０００６】
複数の表示領域が形成されたマザー基板に対して、投影光学系およびマスクとマザー基板とを相対移動させながら光エネルギを照射する方式の光配向を適用すると、次のような問題が生じることがある。【０００７】
マスクに設けられるアライメントマークが、ある一つの表示領域の内側に位置している間は、ある一つの表示領域に形成される所定の要素と、マスクに設けられるアライメントマークとの間の距離を計測することができる。このため、マスクの位置の制御を行うことができる。【０００８】
マザー基板に複数の表示領域が形成されると、マスクが複数の表示領域（特に、相対移動の方向に対して直角方向に配列される複数の表示領域）に跨ることがある。この場合には、一枚のマスクを介して、複数の表示領域に対して同時並行的に光エネルギが照射される。ここで、マスクの一部およびマスクに設けられるアライメントマークが、ある一つの表示領域の外側に位置するが、マスクの他の一部が他の表示領域に位置する状態となることがある。この状態においては、マスクの位置制御ができないかまたは制御が困難となるから、他の一の表示領域に対する光エネルギの照射位置の制御ができないか、または困難となる。【０００９】
そして、光エネルギの照射位置がずれると、配向膜は所定の態様で液晶を配向させることができなくなる。特に、前記他の一の表示領域は、マスクに設けられるアライメントマークがある一つの表示領域の内側に位置している間に光エネルギが照射された部分と、いずれの表示領域の外側に位置している間に光エネルギが照射された部分とで、配向処理の状態が相違するおそれがある。その結果、製造された表示パネル（前記他の一の表示領域が適用された表示パネル）は、表示ムラや光漏れなどが発生し、表示品位が低下するおそれがある。
【先行技術文献】
【特許文献】
【００１０】
【特許文献１】特開２００５−０２４６４９号公報
【発明の概要】
【発明が解決しようとする課題】
【００１１】
上記実情に鑑み、本発明は、複数の露光対象領域が形成される基板に対して光エネルギを照射するに際し、すべての露光対象領域に精度良く光エネルギを照射できる基板、露光方法、光配向処理方法を提供すること、または、マスクを介して複数の表示領域が形成された基板に対して光配向を行うに際し、マスクが複数の表示領域に跨った場合であっても、これら複数の表示領域に対して精度良く光エネルギを照射できる基板、露光方向、光配向処理方法を提供することである。
【課題を解決するための手段】
【００１２】
前記課題を解決するため、本発明にかかる基板は、あるサイズの複数の露光対象領域と、前記あるサイズとは異なる他のサイズの複数の露光対象領域とが形成されるとともに、前記あるサイズの複数の露光対象領域が形成される範囲と、前記他のサイズの複数の露光対象領域が形成される範囲との間に、前記露光対象領域に対して露光する際に光エネルギの照射位置の制御の基準となるアライメントパターンが形成されることを要旨とするものである。【００１３】
前記アライメントパターンの輪郭には、前記あるサイズの複数の露光対象領域が形成される範囲と、前記他のサイズの露光対象領域が形成される範囲との境界に沿った直線の部分を含む構成であることが好ましい。【００１４】
前記アライメントパターンは、前記あるサイズの複数の露光対象領域が形成される範囲と、前記他のサイズの露光対象領域が形成される範囲との境界に沿った帯状または線状に形成される構成が適用できる。【００１５】
本発明にかかる基板は、あるサイズの複数の露光対象領域が配列される列と、前記あるサイズの複数の露光対象領域が配列される列に隣接し前記あるサイズとは異なる他のサイズの複数の露光対象領域が配列される列とが形成されるとともに、前記あるサイズの複数の露光対象領域が配列される列と、前記他のサイズの複数の露光対象領域が配列される列との間に、前記露光対象領域に対して露光する際に光エネルギの照射位置の制御の基準となるアライメントパターンが形成されることを要旨とするものである。【００１６】
前記あるサイズの複数の露光対象領域が配列される列と、前記他のサイズの複数の露光対象領域が配列される列とは平行であり、前記アライメントパターンの輪郭には、前記あるサイズの複数の露光対象領域が配列される列および前記他のサイズの複数の露光対象領域が配列される列に平行な直線の部分が含まれる構成であることが好ましい。【００１７】
前記あるサイズの複数の露光対象領域が配列される列と、前記他のサイズの複数の露光対象領域が配列される列とは平行であり、前記アライメントパターンは、前記あるサイズの複数の露光対象領域が配列される列および前記他のサイズの複数の露光対象領域が配列される列に平行な帯状または線状に形成される構成が適用できる。【００１８】
本発明にかかる基板は、画像を表示するための表示領域を有する複数の表示パネル用の基板を製造するための多面取りの基板であって、あるサイズの複数の前記表示領域と、前記あるサイズとは異なる他のサイズの複数の前記表示領域とが形成されるとともに、あるサイズの複数の前記表示領域が形成される範囲と、前記他のサイズの複数の前記表示領域が形成される範囲との間に、前記表示領域に対して露光する際に光エネルギの照射位置の制御の基準となるアライメントパターンが形成されることを要旨とするものである。【００１９】
前記アライメントパターンの輪郭には、前記あるサイズの複数の前記表示領域が形成される範囲と、前記他のサイズの複数の前記表示領域が形成される範囲との境界に沿った直線の部分を含む構成であることが好ましい。【００２０】
前記アライメントパターンは、前記あるサイズの複数の前記表示領域が形成される範囲と、前記他のサイズの複数の前記表示領域が形成される範囲との境界に沿った帯状または線状に形成される構成が適用できる。【００２１】
前記表示領域には複数の絵素が配列され、前記アライメントパターンには、前記複数の絵素の配列方向に平行な直線の部分が含まれる構成であることが好ましい。【００２２】
前記表示領域には複数の絵素電極が互いに直交する二つの方向にマトリックス状に配列されるとともに、前記複数の絵素の配列方向の一方に平行な走査線と、前記複数の絵素の配列方向の他方に平行なデータ線とが形成され、前記アライメントパターンの輪郭には、前記複数の絵素の配列方向の一方と前記走査線に平行な直線の部分が含まれるか、または、前記複数の絵素の配列方向の他方と前記データ線に平行な直線の部分が含まれる構成が適用できる。【００２３】
前記アライメントパターンは、前記走査線または前記データ線と同じ材料により形成される構成が適用できる。【００２４】
前記表示領域には、互いに直交する複数の帯状または線状の部分を有するブラックマトリックスとカラー表示用の着色層が形成されるとともに、前記アライメントパターンの輪郭には、前記互いに直交する帯状または線状の部分の方向のいずれか一方に平行な直線の部分が含まれる構成が適用できる。【００２５】
前記アライメントパターンは、前記ブラックマトリックスまたは前記着色層と同じ材料により形成される構成が適用できる。【００２６】
本発明にかかる基板は、画像を表示するための表示領域を有する複数の表示パネル用の基板を製造するための多面取りの基板であって、あるサイズの複数の前記表示領域が配列される列と、前記あるサイズの複数の前記表示領域が配列される列に隣接し前記あるサイズとは異なる他のサイズの複数の前記表示領域が配列される列とが形成され、前記あるサイズの複数の前記表示領域が配列される列と、前記他のサイズの複数の前記表示領域が配列される列との間に、前記表示領域に対して露光する際に光エネルギの照射位置の制御の基準となるアライメントパターンが形成されることを要旨とするものである。【００２７】
前記あるサイズの複数の前記表示領域が配列される列と、前記他のサイズの複数の前記表示領域が配列される列とは平行であり、前記アライメントパターンの輪郭には、前記あるサイズの複数の前記表示領域が配列される列および前記他のサイズの複数の前記表示領域が配列される列に平行な直線の部分が含まれる構成であることが好ましい。【００２８】
前記あるサイズの複数の前記表示領域が配列される列と、前記他のサイズの複数の前記表示領域が配列される列とは平行であり、前記アライメントパターンは、前記あるサイズの複数の前記表示領域が配列される列および前記他のサイズの複数の前記表示領域が配列される列に平行な帯状または線状に形成される構成が適用できる。【００２９】
前記表示領域には複数の絵素が配列され、前記アライメントパターンには、前記複数の絵素の配列方向に平行な直線の部分が含まれる構成であることが好ましい。【００３０】
前記表示領域には複数の絵素電極が互いに直交する二つの方向にマトリックス状に配列されるとともに、前記複数の絵素の配列方向の一方に平行な走査線と、前記複数の絵素の配列方向の他方に平行なデータ線とが形成され、前記アライメントパターンの輪郭には、前記複数の絵素の配列方向の一方と前記走査線に平行な直線の部分が含まれるか、または、前記複数の絵素の配列方向の他方と前記データ線に平行な直線の部分が含まれる構成が適用できる。【００３１】
前記アライメントパターンは、前記走査線または前記データ線と同じ材料により形成される構成が適用できる。【００３２】
前記表示領域には、互いに直交する複数の帯状または線状の部分を有するブラックマトリックスとカラー表示用の着色層が形成されるとともに、前記アライメントパターンの輪郭には、前記互いに直交する帯状または線状の部分の方向のいずれか一方に平行な直線の部分が含まれる構成が適用できる。【００３３】
前記アライメントパターンは、前記ブラックマトリックスまたは前記着色層と同じ材料により形成される構成が適用できる。【００３４】
本発明にかかる露光方法は、前記基板（複数の露光対象領域を有する基板）に対する露光方法であって、光源と、前記光源が発する光エネルギが透過可能な透光パターンが形成されるマスクと、を備える複数の露光ユニットを有する露光装置を用い、前記基板と前記露光ユニットとを相対的に移動させながら前記基板に対して前記マスクに形成される前記透光パターンを通じて光エネルギを照射するとともに、前記マスクが前記あるサイズの露光対象領域と前記他のサイズの露光対象領域とに跨る前記露光ユニットは、前記アライメントパターンを前記マスクの位置決めの制御の基準として用い、前記あるサイズの露光対象領域と前記他のサイズの露光対象領域の両方に光エネルギを照射することを要旨とするものである。【００３５】
本発明にかかる露光方法は、前記基板（複数の露光対象領域を有する基板）に対する露光方法であって、光源と、前記光源が発する光エネルギが透過可能な透光パターンと光エネルギの照射位置の制御に用いられる基準パターンとが形成されるマスクと、前記基準パターンと前記基板を撮像可能な撮像手段を備える複数の露光ユニットを有する露光装置を用い、前記基板と前記露光ユニットとを相対的に移動させながら前記基板に対して前記マスクに形成される前記透光パターンを通じて光エネルギを照射するとともに、前記マスクが前記あるサイズの露光対象領域と前記他のサイズの露光対象領域とに跨る前記露光ユニットは、前記撮像手段により前記アライメントパターンと前記基準パターンとを撮像して前記アライメントパターンと前記基準パターンとの間の距離を算出し、前記算出した距離に基づいて前記マスクの位置を調整し、前記あるサイズの露光対象領域と前記他のサイズの露光対象領域の両方に光エネルギを照射することを要旨とするものである。【００３６】
本発明にかかる露光方法は、前記基板（複数の表示領域を有する基板）に対する露光方法であって、光源と、前記光源が発する光エネルギが透過可能な透光パターンが形成されるマスクと、を備える複数の露光ユニットを有する露光装置を用い、前記基板と前記露光ユニットとを相対的に移動させながら前記基板に対して前記マスクに形成される前記透光パターンを通じて光エネルギを照射するとともに、前記マスクが前記あるサイズの表示領域と前記他のサイズの表示領域とに跨る前記露光ユニットは、前記アライメントパターンを前記マスクの位置決めの制御の基準として用い、前記あるサイズの表示領域と前記他のサイズの表示領域の両方に光エネルギを照射することを要旨とするものである。【００３７】
本発明にかかる露光方法は、前記基板（複数の表示領域を有する基板）に対する露光方法であって、光源と、前記光源が発する光エネルギが透過可能な透光パターンと光エネルギの照射位置の制御に用いられる基準パターンとが形成されるマスクと、前記基準パターンと前記基板を撮像可能な撮像手段を備える複数の露光ユニットを有する露光装置を用い、前記基板と前記露光ユニットとを相対的に移動させながら前記基板に対して前記マスクに形成される前記透光パターンを通じて光エネルギを照射するとともに、前記マスクが前記あるサイズの表示領域と前記他のサイズの表示領域とに跨る前記露光ユニットは、前記撮像手段により前記アライメントパターンと前記基準パターンとを撮像して前記アライメントパターンと前記基準パターンとの間の距離を算出し、前記算出した距離に基づいて前記マスクの位置を調整し、前記あるサイズの表示領域と前記他のサイズの表示領域の両方に光エネルギを照射することを要旨とするものである。【００３８】
本発明にかかる光配向処理方法は、前記いずれかの露光方法を用いた光配向処理方法であって、前記基板と前記露光ユニットの前記相対的な移動の方向に沿って配列される複数の絵素のそれぞれの一部の領域に対して、前記マスクに形成される前記透光パターンを通じてある方向から光エネルギを照射し、前記複数の絵素のそれぞれ他の一部の領域に対して前記ある方向とは異なる他の方向から前記マスクに形成される前記透光パターンを通じて光エネルギを照射することを要旨とするものである。
【発明の効果】
【００３９】
本発明にかかる基板および本発明にかかる露光方法によれば、一枚のマスクが互いにサイズの異なる複数の露光対象領域または複数の表示領域に跨った場合であっても、複数の露光対象領域または複数の表示領域のそれぞれに対して、光エネルギの照射位置および範囲の精度の維持を図ることができる。すなわち、一枚のマスクが互いにサイズの異なる複数の露光対象領域または複数の表示領域に跨ることがある場合においては、マスクの位置の制御に複数の露光対象領域または複数の表示領域のいずれかに形成される所定の要素を用いると、マスクが当該いずれかの露光対象領域またはいずれかの表示領域の外側に位置すると、マスクの位置の高精度な制御が困難となる。このため、他のいずれかの露光対象領域または他のいずれかの表示領域に対する光エネルギの照射位置および範囲の精度が低下するおそれがある。これに対して、本発明にかかる基板および本発明にかかる露光方法によれば、アライメントパターンを、露光における光エネルギの照射位置および範囲の制御に用いることにより、互いにサイズの異なる複数の露光対象領域または複数の表示領域のいずれに対しても、マスクの位置の高精度な制御を継続することができる。【００４０】
本発明にかかる光配向処理方法によれば、すべての表示領域に形成される絵素に対して、精度良く光エネルギを照射することができる。したがって、基板に形成されるすべての表示領域において、一つの絵素に形成される互いに配向状態が異なる複数の領域を形成する際に、配向状態が異なる複数の領域どうしの境界において配向の乱れが発生することを防止または抑制できる。このため、一枚の基板から製造されるすべての表示パネルにおいて、液晶の配向の乱れの発生を防止または抑制できる。したがって、一枚の基板から製造される複数の表示パネルの表示品位の維持または向上を図ることができる。また、一枚の基板から製造される複数の表示パネルに不良品が含まれることを防止または抑制できる。
【図面の簡単な説明】
【００４１】
【図１】本発明の実施形態にかかる基板の構成を、模式的に示した平面図である。
【図２】本発明の実施形態にかかる基板の表示領域一部を抜き出して示した平面模式図であり、（ａ）は、本発明の実施形態にかかる第一の基板の表示領域に形成される絵素の構成を示し、（ｂ）は、本発明の実施形態にかかる第二の基板の表示領域に形成される絵素の構成を示す。
【図３】三種類のサイズの表示領域が形成される基板の構成を、模式的に示した平面図である。
【図４】単一のサイズで互いに向きが異なる複数の表示領域が形成される基板の構成を、模式的に示した平面図である。
【図５】本発明の実施形態にかかる露光方法（本発明の実施形態にかかる配向処理方法）において用いられる露光装置の要部の構成を、模式的に示した平面図であり、通常の設置態様における側方から見た図である。
【図６】本発明の実施形態にかかる露光方法（本発明の実施形態にかかる配向処理方法）において用いられる露光装置の要部の構成を、模式的に示した平面図であり、通常の設置態様における上方から見た図である。
【図７】マスクの構成を、模式的に示した平面図である。
【図８】マスクの一部が、走査方向に直角な方向に隣接する表示領域の一方に入り込み、マスクの他の一部が、走査方向に直角な方向に隣接する表示領域の他方に入り込んだ状態を模式的に示した平面図である。
【図９】本発明の実施形態にかかる基板の各絵素に対する光エネルギの照射の態様を模式的に示した図であり、（ａ）は、本発明の実施形態にかかる第一の基板に対する光エネルギの照射の態様を示した斜視図、（ｂ）は、本発明の実施形態にかかる第二の基板に対する光エネルギの照射の態様を示した斜視図、（ｃ）は、本液晶表示パネルの一つの絵素における液晶の向き（＝配向の状態）を、模式的に示した平面図である。
【図１０】（ａ）は、本発明の実施形態にかかる第一の基板１ａに対して本発明の実施形態にかかる露光方法を適用する際に用いられるマスクの透光パターンの構成を、模式的に示した平面図であり、（ｂ）は、透光パターンと本発明の実施形態にかかる第一の基板の表示領域に設けられる絵素のパターンとの寸法および位置の関係を模式的に示した平面図である。
【図１１】本発明の実施形態にかかる第二の基板に対して、本発明の実施形態にかかる露光方法を適用する際に用いられるマスクと、本発明の実施形態にかかる第二の基板の表示領域に形成されるブラックマトリックスとの位置および寸法の関係を、模式的に示した平面図である。
【発明を実施するための形態】
【００４２】
以下に、本発明の実施形態について、図面を参照して詳細に説明する。
【００４３】
本発明の実施形態にかかる基板１は、液晶表示パネル用の基板を製造するための基板（または、液晶表示パネルを製造するための基板）である。本発明の実施形態にかかる露光方法は、光配向方式により配向膜に配向処理を施す工程（＝配向膜に光エネルギを照射して配向させる工程）において、配向膜に光エネルギを照射する露光方法である。本発明の実施形態にかかる基板１に配向膜が形成され、その後、本発明の実施形態にかかる露光方法を用いて、形成された配向膜に配向処理が施される。すなわち、本発明の実施形態にかかる基板１は、光配向方式による配向処理に適した構成（特に、本発明の実施形態にかかる露光方法を用いた配向処理に適した構成）を有する基板である。
【００４４】
まず、本発明の実施形態にかかる基板１から製造される液晶表示パネルについて、簡単に説明する。説明の便宜上、本発明の実施形態にかかる基板１から製造される液晶表示パネルを、「本液晶表示パネル」と称することがある。
【００４５】
本液晶表示パネルは、二枚の液晶表示パネル用の基板を備える。二枚の液晶表示パネル用の基板の一方には、ＴＦＴアレイ基板が適用され、他方には、カラーフィルタが適用される。ＴＦＴアレイ基板とカラーフィルタのそれぞれには、表示領域とパネル額縁領域とが形成される。表示領域は、画像を表示できる領域であり、複数の絵素が所定の態様（たとえば、マトリックス状）で配列される。表示領域の表面には、配向膜が形成される。配向膜には、配向処理が施される。パネル額縁領域は、表示領域を囲むように形成される領域である。パネル額縁領域には、所定の配線や遮光膜などが形成されることがある。なお、パネル額縁領域には、配向膜は形成されない（配向膜が形成されなくてもよい）。そして、ＴＦＴアレイ基板とカラーフィルタとが、所定の微小な間隔をおいて対向して貼り合わせられるとともに、それらの間には液晶が充填される。充填された液晶の分子は、配向膜によって配列の方向が規定される。
【００４６】
図１は、本発明の実施形態にかかる基板１の構成を、模式的に示した平面図である。なお、ＴＦＴアレイ基板を製造するための基板を、「本発明の実施形態にかかる第一の基板」１ａと記し、カラーフィルタを製造するための基板を、「本発明の実施形態にかかる第二の基板」１ｂと記して区別することがある。また、「本発明の実施形態にかかる基板」１と記す場合には、ＴＦＴアレイ基板を製造するための基板（＝本発明の実施形態にかかる第一の基板１ａを含む）と、カラーフィルタを製造するための基板（＝本発明の実施形態にかかる第二の基板１ｂを含む）の両方を意味するものとする。
【００４７】
本発明の実施形態にかかる基板１は、多面取りの基板である。すなわち、本発明の実施形態にかかる第一の基板１ａからは、複数のＴＦＴアレイ基板が製造される。また、本発明の実施形態にかかる第二の基板１ｂからは、複数のカラーフィルタが製造される。このため、本発明の実施形態にかかる基板１には、複数の「一枚ずつの液晶表示パネル用の基板となった状態において、表示領域となる領域」１１ａ，１１ｂが形成される。説明の便宜上、これらの領域についても、単に「表示領域」１１ａ，１１ｂと記すことがある。
【００４８】
本発明の実施形態にかかる基板１からは、互いに異なるサイズの表示領域を有する液晶表示パネル用の基板（または液晶表示パネル）を製造することができる。このため、図１に示すように、本発明の実施形態にかかる基板１には、互いに異なるサイズの表示領域１１ａ，１１ｂが形成される。具体的には、あるサイズの複数の表示領域１１ａと、あるサイズとは異なるサイズの他のサイズの複数の表示領域１１ｂが形成される。このため、本発明の実施形態にかかる基板１からは、あるサイズの表示領域１１ａを有する液晶表示パネル用の基板と、他のサイズの表示領域１１ｂを有する液晶表示パネル用の基板との、二種類の表示領域のサイズの液晶表示パネル用の基板（または液晶表示パネル）を製造することができる。
【００４９】
これらの表示領域１１ａ，１１ｂが、本発明の実施形態にかかる露光方法における「露光対象領域」となる。すなわち、本発明の実施形態にかかる基板１は、互いにサイズが異なる複数の露光対象領域が形成される構成を有する。
【００５０】
図１に示すように、あるサイズの複数の表示領域１１ａは、本発明の実施形態にかかる基板１の一側寄りに、まとめてマトリックス状に配列されるように形成される。一方、他のサイズの複数の表示領域１１ｂは、他の一側寄りに、まとめてマトリックス状に配列されるように形成される。図１においては、あるサイズの複数の表示領域１１ａは、Ｙ軸方向の一側寄りに形成され、他のサイズの複数の表示領域１１ｂは、Ｙ軸方向の他の一側寄りに形成される構成を示す。
【００５１】
そして、あるサイズの複数の表示領域１１ａが形成される範囲と、他のサイズの複数の表示領域１１ｂが形成される範囲との間に、アライメントパターン１２が形成される。アライメントパターン１２は、本発明の実施形態にかかる露光方法により光エネルギを照射する際に、光エネルギの照射位置を制御するための基準となるパターンである。
【００５２】
アライメントパターン１２は、所定の方向に沿って伸びる細長い帯状または細線状のパターンである。具体的には、アライメントパターン１２は、あるサイズの複数の表示領域１１ａが形成される範囲と、他のサイズの複数の表示領域１１ｂが形成される範囲の境界に沿って延伸する（図１においてはＸ軸方向に延伸する）帯状または線状のパターン（要素）である。アライメントパターン１２の輪郭には、前記所定の方向（Ｘ軸の方向）に沿って伸びる直線の部分が含まれる。この直線の部分は、本発明の実施形態にかかる基板１の所定の方向（Ｘ軸の方向）の略全長にわたって形成される。たとえば、アライメントパターン１２が、略長方形に形成される構成であれば、長方形の長辺の一方または両方が、前記「直線の部分」となる。
【００５３】
次に、本発明の実施形態にかかる基板１の表示領域１１ａ，１１ｂの構成について、簡単に説明する。図２は、本発明の実施形態にかかる基板１の表示領域１１ａ，１１ｂの一部を抜き出して示した平面模式図であり、図２（ａ）は、本発明の実施形態にかかる第一の基板１ａの表示領域１１ａ，１１ｂに形成される絵素の構成を示し、図２（ｂ）は、本発明の実施形態にかかる第二の基板１ｂの表示領域１１ａ，１１ｂに形成される絵素の構成を示す。
【００５４】
本発明の実施形態にかかる第一の基板１ａの表示領域１１ａ，１１ｂには、図２（ａ）に示すように、複数の絵素電極１１１と、複数の走査線１１２と、複数のデータ線１１３と、複数のスイッチング素子１１４（具体的には、たとえば、薄膜トランジスタ）とが設けられる。なお、その他の所定の要素が設けられることがあるが、説明および図示は省略する。複数の絵素電極１１１は、互いに直交する二つの方向に展開する態様（＝マトリックス状に配列される態様）で形成される。複数の走査線１１２は、互いに所定の間隔をおいて平行に形成される。複数のデータ線１１３も、互いに所定の間隔をおいて平行に形成される。複数の走査線１１２の延伸方向と複数のデータ線１１３の延伸方向とは、直角となるように形成される。そして、各走査線１１２と各データ線１１３との交差点近傍には、スイッチング素子１１４が設けられる。各スイッチング素子１１４と各絵素電極１１１は、ドレイン線１１５により接続される。なお、複数の絵素電極１１１の配列方向（マトリックスの行方向または列方向）と複数の走査線１１２の延伸方向とは平行であり、複数の絵素電極１１１の配列方向と複数のデータ線１１３の延伸方向とは平行である。
【００５５】
本発明の実施形態にかかる第二の基板１ｂの各表示領域１１ａ，１１ｂには、図２（ｂ）に示すように、ブラックマトリックス１１７と、所定の色の着色層１１９と、共通電極とが設けられる。なお、その他の所定の要素が設けられることがあるが、説明および図示は省略する。ブラックマトリックス１１７は、遮光性を有する材料からなり格子状に形成される要素（＝構造物）である。すなわち、ブラックマトリックス１１７には、複数の開口部１１７１が、マトリックス状に配列される態様で形成される。そして、ブラックマトリックス１１７に形成される開口部１１７１には、カラー表示用の所定の色の着色層１１９が形成される。ブラックマトリックス１１７および所定の色の着色層１１９の表面には、共通電極が形成される。
【００５６】
なお、前記構成は一例であり、表示領域１１ａ，１１ｂの構成（表示領域１１ａ，１１ｂに形成される絵素などの構成）は限定されるものではない。要は、表示領域１１ａ，１１ｂには、複数の絵素が配列されるとともに、絵素の配列方向に平行に延伸する要素が形成される構成であればよい。本発明の実施形態にかかる第一の基板１ａにおいては、走査線１１２とデータ線１１３が、絵素（絵素電極１１１）の配列方向に平行に延伸する要素である。本発明の実施形態にかかる第二の基板１ｂにおいては、ブラックマトリックス１１７が、絵素（ブラックマトリックス１１７の開口部１１７１および、ブラックマトリックス１１７の開口部１１７１に形成された所定の色の着色層１１９）の配列方向に平行に延伸する要素である。
【００５７】
各表示領域１１ａ，１１ｂに形成される絵素の配列方向と、アライメントパターン１２の延伸方向（正確には、アライメントパターン１２の輪郭に含まれる直線の延伸方向）は、平行に設定される。すなわち、各表示領域１１ａ，１１ｂに形成される絵素が、マトリックス状に配列される構成においては、マトリックスの行方向または列方向と、アライメントパターン１２の延伸方向（＝アライメントパターン１２の輪郭に含まれる直線の延伸方向）とが平行に設定される。
【００５８】
本発明の実施形態にかかる第一の基板１ａの各表示領域１１ａ，１１ｂには、複数の絵素電極１１１がマトリックス状（＝互いに直交する二つの方向（図１においては、Ｘ軸方向とＹ軸方向）に展開するように）に配列される。また、複数の走査線１１２と複数のデータ線１１３とが直交する方向に延伸するように形成される。そして、絵素電極１１１の配列方向（＝マトリックスの行方向と列方向の一方）と複数の走査線１１２の延伸方向とが平行であり、絵素電極１１１の配列方向（＝マトリックスの行方向と列方向の他方）と複数のデータ線１１３の延伸方向とが平行である。このため、本発明の実施形態にかかる第一の基板１ａにおいては、各表示領域１１ａ，１１ｂに形成される絵素（絵素電極１１１）の配列方向と、走査線１１２またはデータ線１１３と、アライメントパターン１２（＝アライメントパターン１２の輪郭に含まれる直線の延伸方向）とが平行となる。
【００５９】
本発明の実施形態にかかる第二の基板１ｂの各表示領域１１ａ，１１ｂには、ブラックマトリックス１１７と所定の色の着色層１１９が形成される。ブラックマトリックス１１７は格子状の構造物であり、複数の開口部１１７１が、マトリックス状に配列される態様（＝互いに直交する二つの方向（図１においては、Ｘ軸方向とＹ軸方向）に展開する態様）で形成される。すなわち、ブラックマトリックス１１７は、互いに平行で所定の方向に延伸する直線状に形成される複数の線状の部分または帯状の部分（以下、「細線」と称する）１１７２と、互いに平行で前記所定の方向に直角な方向に延伸する複数の細線１１７３とを有する。そして、各開口部１１７１には、所定の色の着色層１１９が形成される。そして、開口部１１７１の配列方向（＝マトリックスの行方向と列方向の一方）とアライメントパターン１２の延伸方向とが平行となる。すなわち、所定の方向に延伸する複数の細線１１７２と前記所定の方向に直角な方向に延伸する複数の細線１１７３のいずれか一方と、アライメントパターン１２の延伸方向（＝アライメントパターン１２の輪郭に含まれる直線の延伸方向）とが平行となる。
【００６０】
なお、図１および上記説明においては、本発明の実施形態にかかる基板１には、二種類のサイズの表示領域１１ａ，１１ｂが形成される構成を示したが、表示領域１１ａ，１１ｂのサイズの種類および数は限定されるものではない。たとえば、単一のサイズの表示領域が形成される構成であってもよく、三種類以上のサイズの表示領域が形成される構成であってもよい。そして、いずれの構成においても、所定の位置に、前記構成を有するアライメントパターン１２が形成される。
【００６１】
すなわち、本発明の実施形態にかかる基板１の構成を、別の方法で表現すると、次のとおりである。
【００６２】
本発明の実施形態にかかる基板１には、複数の表示領域１１ａ，１１ｂが形成される。これらの複数の表示領域１１ａ，１１ｂのうち、所定の方向（図１においてはＸ軸の方向）に沿って直列的に並ぶ（＝一列に並ぶ）表示領域１１ａ，１１ｂの一群を、「表示領域の列」と称する。すなわち、本発明の実施形態にかかる基板１には、複数の「表示領域の列」が、互いに平行に並列するように（図１においてはＹ軸方向に並ぶように）形成される。
【００６３】
なお、前記の通り、表示領域１１ａ，１１ｂは、本発明の実施形態にかかる露光方法における露光対象領域であるから、「表示領域の列」は、「露光対象領域の列」である。
【００６４】
そして、アライメントパターン１２は、「表示領域の列（露光対象領域の列）」に含まれる各表示領域１１ａ，１１ｂの位置および範囲（特に、各「表示領域の列」における表示領域１１ａ，１１ｂの配列方向（図１においてはＸ軸方向）に沿った方向における位置および範囲）が互いに相違する「表示領域の列」どうしの間に形成される。換言すると、アライメントパターン１２は、「表示領域の列」における表示領域１１ａ，１１ｂどうしの間の領域の位置および範囲（特に、各「表示領域の列」における表示領域１１ａ，１１ｂの配列方向（図１においてはＸ軸方向）に沿った方向における位置および範囲）が相違する「表示領域の列」どうしの間に形成される。
【００６５】
このアライメントパターン１２（＝アライメントパターン１２の輪郭に含まれる直線）は、「表示領域の列」における表示領域１１ａ，１１ｂの配列方向に平行に延伸する。たとえば、アライメントパターン１２は、「表示領域の列」における表示領域１１ａ，１１ｂの配列方向に沿って延伸する帯状または線状に形成される。
【００６６】
たとえば、図１に示すように、二種類のサイズの表示領域１１ａ，１１ｂが形成される構成においては、あるサイズの表示領域１１ａからなる「表示領域の列」と、他のサイズの表示領域１１ｂからなる「表示領域の列」とは、それぞれ、所定の方向における（＝Ｘ軸方向における）表示領域の位置および範囲（＝表示領域１１ａ，１１ｂどうしの間の領域の位置および範囲）が相違する。このため、アライメントパターン１２は、あるサイズの表示領域１１ａからなる「表示領域の列」と、他のサイズの表示領域１１ｂからなる「表示領域の列」との間に形成される。
【００６７】
一方、図１に示す本発明の実施形態にかかる基板１においては、隣り合う二列の「表示領域の列」が、いずれも同じサイズの表示領域１１ａ，１１ｂからなる場合には、表示領域１１ａ，１１ｂの位置および範囲（＝表示領域１１ａ，１１ｂどうしの間の領域の位置および範囲）は同一である。したがって、互いに同じサイズの表示領域１１ａ，１１ｂからなる「表示領域の列」どうしの間には、アライメントパターン１２は形成されない（＝アライメントパターン１２は形成されなくともよい）。
【００６８】
したがって、図１に示すように、本発明の実施形態にかかる基板１には、アライメントパターン１２が、あるサイズの表示領域１１ａからなる「表示領域の列」と、これに隣接し、他のサイズの表示領域１１ｂからなる「表示領域の列」との間に形成される。
【００６９】
図３は、三種類のサイズの表示領域１１ｃ，１１ｄ，１１ｅが形成される基板１ｃの構成を、模式的に示した平面図である。図３に示すように、第一のサイズを有する複数の表示領域１１ｃが、所定の方向（図３においてはＹ軸方向）の一側寄りにまとめてマトリックス状またはＸ軸方向に直列に配列されるように形成され、第二のサイズを有する複数の表示領域１１ｄが、所定の方向（図３においてはＹ軸方向）の他の一側寄りにまとめてマトリックス状またはＸ軸方向に直列に配列されるように形成され、これらの間に、第三のサイズを有する複数の表示領域１１ｅが、まとめてマトリックス状またはＸ軸方向に直列に配列されるように形成される。第一のサイズと第二のサイズと第三のサイズは、それぞれ互いに異なるサイズである（少なくとも、第一のサイズと第三のサイズは相違するサイズであり、第二のサイズと第三のサイズは相違するサイズである）。
【００７０】
そして、第一のサイズを有する表示領域１１ｃが形成される範囲と、第三のサイズを有する表示領域１１ｅが形成される範囲との間に、アライメントパターン１２が形成される。同様に、第二のサイズを有する表示領域１１ｄが形成される範囲と、第三のサイズを有する表示領域１１ｅが形成される範囲との間に、アライメントパターン１２が形成される。このアライメントパターン１２の構成は、前記同様である。
【００７１】
第一のサイズを有する表示領域１１ｃが形成される範囲と、第三のサイズを有する表示領域１１ｅが形成される範囲との境界においては、第一のサイズを有する表示領域１１ｃからなる「表示領域の列」と、第三のサイズを有する表示領域１１ｅからなる「表示領域の列」とが隣接している。そして、第一のサイズを有する表示領域１１ｃからなる「表示領域の列」と、第三のサイズを有する表示領域１１ｅからなる「表示領域の列」とは、「表示領域の列」における表示領域１１ｃ，１１ｅの位置および範囲（＝表示領域１１ｃ，１１ｅどうしの間の領域の位置および範囲）が、互いに相違する。このため、第一のサイズを有する表示領域１１ｃが形成される範囲と、第三のサイズを有する表示領域１１ｅが形成される範囲との間（すなわち、互いに隣接する第一のサイズを有する表示領域１１ｃからなる「表示領域の列」と、第三のサイズを有する表示領域１１ｅからなる「表示領域の列」との間）に、アライメントパターン１２が形成される。
【００７２】
同様に、第二のサイズを有する表示領域１１ｄが形成される範囲と、第三のサイズを有する表示領域１１ｅが形成される範囲との境界においては、第二のサイズを有する表示領域１１ｄからなる「表示領域の列」と、第三のサイズを有する表示領域１１ｅからなる「表示領域の列」とが隣接している。そして、第二のサイズを有する表示領域１１ｄからなる「表示領域の列」と、第三のサイズを有する表示領域１１ｅからなる「表示領域の列」とは、「表示領域の列」における表示領域１１ｄ，１１ｅの位置および範囲（＝表示領域１１ｄ，１１ｅどうしの間の領域の位置および範囲）が、互いに相違する。このため、第二のサイズを有する表示領域１１ｄが形成される範囲と、第三のサイズを有する表示領域１１ｅが形成される範囲との間（すなわち、互いに隣接する第二のサイズを有する表示領域１１ｄからなる「表示領域の列」と、第三のサイズを有する表示領域１１ｅからなる「表示領域の列」との間）に、アライメントパターン１２が形成される。
【００７３】
一方、互いに同一のサイズを有する表示領域１１ｃ，１１ｄ，１１ｅからなる「表示領域の列」どうしの間には、アライメントパターン１２は形成されない（または、形成されなくてもよい）。すなわち、第一のサイズを有する表示領域１１ｃからなる「表示領域の列」どうしの間、第二のサイズを有する表示領域１１ｄからなる「表示領域の列」どうしの間、および、第三のサイズを有する表示領域１１ｅからなる「表示領域の列」どうしの間には、アライメントパターン１２は形成されない（または、形成されなくてもよい）。
【００７４】
図４は、単一のサイズの複数の表示領域１１ｆ，１１ｇが形成される基板１ｄの構成を、模式的に示した平面図である。図４に示すように、単一のサイズの表示領域１１ｆ，１１ｇのみが形成される構成であっても、互いに向きが相違する複数の表示領域１１ｆ，１１ｇが含まれる場合には、アライメントパターン１２が形成されることがある。
【００７５】
すなわち、図４に示すように、ある向きの複数の表示領域１１ｆが形成される範囲と、前記ある向きとは異なる他の向きの複数の表示領域１１ｇが形成される範囲との間に、これらの範囲の境界に沿って、アライメントパターン１２が形成される。換言すると、ある向きの複数の表示領域１１ｆからなる「表示領域の列」と、他の向きの複数の表示領域１１ｇからなる「表示領域の列」とは、互いに、表示領域１１ｆ，１１ｇの配列方向に沿った表示領域１１ｆ，１１ｇの位置および範囲（＝表示領域１１ｆ，１１ｇどうしの間の領域の位置および範囲）が相違する。このため、ある向きの複数の表示領域１１ｆからなる「表示領域の列」と、これに隣接し、他の向きの複数の表示領域１１ｇからなる「表示領域の列」の間には、アライメントパターン１２が形成される。アライメントパターン１２の構成は、前記のとおりである。
【００７６】
このように、表示領域のサイズの種類は限定されるものではない。要は、所定の方向に沿った（ここでは、いずれもＸ軸方向に沿った）表示領域の位置および範囲（＝表示領域どうしの間の領域の位置および範囲）が相違する範囲の間に、アライメントパターン１２が形成される構成であればよい。
【００７７】
なお、アライメントパターン１２の材料は、特に限定されるものではない。たとえば、次のような構成が適用できる。
【００７８】
本発明の実施形態にかかる第一の基板１ａにおいては、アライメントパターン１２は、走査線１１２またはデータ線１１３の一方と同じ材料により形成される。そして、走査線１１２が形成される工程において併せてアライメントパターン１２が形成される構成、または、データ線１１３が形成される工程において併せてアライメントパターン１２が形成される構成が適用できる。
【００７９】
一方、本発明の実施形態にかかる第二の基板１ｂにおいては、アライメントパターン１２は、ブラックマトリックス１１７と同じ材料、またはいずれかの色の着色層１１９と同じ材料により形成される。そして、ブラックマトリックス１１７が形成される工程において併せてアライメントパターン１２が形成される構成、または、所定の色の着色層１１９が形成される工程において併せてアライメントパターン１２が形成される構成が適用できる。
【００８０】
要は、アライメントパターン１２は、カメラなどの撮像手段により認識できるパターンであればよく（少なくとも、アライメントパターン１２の輪郭に含まれる直線が認識できるパターンであればよく）、材料や形成方法は限定されるものではない。
【００８１】
次に、本発明の実施形態にかかる露光方法と、本発明の実施形態にかかる配向処理方法（＝本発明の実施形態にかかる露光方法を適用した配向処理方法）について説明する。
【００８２】
図５と図６は、本発明の実施形態にかかる露光方法（本発明の実施形態にかかる配向処理方法）において用いられる露光装置５（以下、「本露光装置」５と称することがある）の要部の構成を、模式的に示した平面図である。具体的には、図５は、本露光装置５を通常の設置態様における側方から見た図、図６は、本露光装置５を通常の設置態様において上方から見た図である。なお、本発明の実施形態にかかる露光方法の実施に関係する部分について説明し、その他の部分や詳細な動作などについては説明を省略する。説明を省略した部分については、従来公知の構成が適用できる。
【００８３】
本露光装置５は、ステージ５１と、ステージ制御系（図略）と、複数の露光ユニット５２と、アライメント用光源５３とを備える。ここでは、本露光装置５が１０基の露光ユニット５２を備える構成を示して説明するが、これは例示であり、露光ユニット５２の数は限定されるものではない。
【００８４】
ステージ５１は、本発明の実施形態にかかる基板１を載置することができるとともに、載置された本発明の実施形態にかかる基板１を、その面方向に往復動させることができる。ステージ制御系は、ステージ５１を駆動させる駆動部や、駆動部を制御する制御部などを有する。なお、ステージ５１およびステージ制御系は、従来公知の構成が適用できる。したがって、説明は省略する。
【００８５】
各露光ユニット５２は、光源５２１と、露光ヘッド５２５と、マスク５２２と、撮像手段５２３と、画像解析手段５２４と、マスク位置制御部５２６とを備える。
【００８６】
光源５２１は、所定の波長帯域の光エネルギを発することができる。光源５２１が発する光エネルギの波長帯域は、露光対象物に応じて設定される。たとえば、紫外線を発することができる光源が適用される。露光ヘッド５２５は、光源５２１が発した光エネルギを、所定の角度で外部に向かって照射することができる。
【００８７】
マスク５２２は、たとえば、板状に形成される部材である。図７は、マスク５２２の構成を、模式的に示した平面図である。マスク５２２には、透光パターン５２２１と基準パターン５２２２とが形成される。
【００８８】
透光パターン５２２１は、所定の箇所に所定の寸法形状を有し、光源５２１が発する光エネルギを透過可能なパターンである。透光パターン５２２１の数、寸法および形状は、光エネルギの照射対象物の形状や位置、光エネルギの照射範囲および位置などによって適宜設定される。具体的な構成は後述する。
【００８９】
基準パターン５２２２は、マスク５２２の位置の制御において、基準として用いられるパターンである。基準パターン５２２２の輪郭には、後述する「走査方向」に平行に延伸する直線の部分が含まれる。これ以外の構成、たとえば、基準パターン５２２２の輪郭の寸法および形状は、特に限定されるものではない。要は、撮像手段により撮像可能な直線の部分を有する構成であればよい。たとえば、図７に示すように、マスク５２２に光エネルギが透過可能な開口部５２２３が形成され、この開口部５２２３に、「走査方向」に沿って延伸する帯状または線状の基準パターン５２２２が形成される構成が適用できる。なお、基準パターン５２２２の数は限定されるものではない。
【００９０】
撮像手段５２３は、露光対象物（＝本発明の実施形態にかかる基板１）の表面と、マスク５２２に形成される基準パターン５２２２とを、一つの視野内に収まるように撮像することができる。前記のとおり、マスク５２２には開口部５２２３が形成され、この開口部５２２３に基準パターン５２２２が形成される。このため、開口部５２２３を通じて本発明の実施形態にかかる基板１の表面を撮像できるとともに、基準パターン５２２２を撮像することができる。撮像手段５２３には、たとえば、公知の各種ＣＣＤカメラが適用できる。そして、撮像手段５２３の視野の一部に、マスク５２２に形成される基準パターン５２２２が入り込むように配設される。
【００９１】
画像解析手段５２４は、撮像手段５２３が撮影した画像を解析することができる。具体的には、撮像手段５２３により撮像された画像に写っているマスク５２２の基準パターン５２２２の輪郭と、本発明の実施形態にかかる基板１に形成される所定の要素の輪郭（具体的には、アライメントパターン１２の輪郭に含まれる直線）との間の距離（ここでは、後述する「走査方向」に対して直角な方向の距離）を算出することができる。画像解析手段５２４は、本露光装置５に組み込まれたＣＰＵやメモリなどのハードウェアと、このハードウェア上で動作するソフトウェアによって実現される。画像解析手段５２４による画像解析方法は、従来公知の方法が適用できる。したがって、詳細な説明は省略する。
【００９２】
マスク位置制御部５２６は、マスク５２２の位置（ここでは、後述する「走査方向」に対して直角な方向の位置）を調整することができる。このため、マスク位置制御部５２６は、マスク５２２を走査方向に直角な方向に往復動させることができる駆動部と、この駆動部を制御する制御部などを有する。なお、マスク位置制御部５２６には、公知のマスク位置調整部が適用できる。したがって、詳細な説明は省略する。
【００９３】
アライメント用光源５３は、撮像手段５２３が、本発明の実施形態にかかる基板１の表面およびマスク５２２の基準パターン５２２２を撮像する際に使用される光源である。図５に示すように、本発明の実施形態にかかる基板１の下側に位置するように配設される。そして、アライメント用光源５３が発した光は、本発明の実施形態にかかる基板１およびマスク５２２の開口部５２２３を透過して、撮像手段５２３に達するように構成される（図７中の矢印ａは、アライメント用光源５３が発した光を模式的に示す）。
【００９４】
そして、各露光ユニット５２は、光源５２１が発する光エネルギを、露光ヘッド５２５、マスク５２２に形成される透光パターン５２２１を通じて、露光対象物の表面に対して、所定の方向から照射することができる。図中の矢印ｂは、光源５２１が発する光を模式的に示す。
【００９５】
このような構成の本露光装置５は、ステージ５１に載置された露光対象物（＝本発明の実施形態にかかる基板１）を各露光ユニット５２に対して相対的に移動させながら、露光対象物の所定の位置および範囲に対して、光エネルギを照射できる。ステージ５１およびステージ５１に載置された露光対象物（＝本発明の実施形態にかかる基板１）と各露光ユニット５２との相対移動の方向を、「走査方向」と称する。
【００９６】
そして、図６に示すように、複数の露光ユニット５２が、走査方向に直角な方向に配列される。たとえば、走査方向に直角な方向に沿って千鳥状に配列される構成や、略直列に配列される構成などが適用される。このため、各露光ユニット５２によって、本発明の実施形態にかかる基板１の走査方向に直角な方向の全長に対して、光エネルギを照射することができる。したがって、本発明の実施形態にかかる基板１を各露光ユニット５２に対して相対的に移動させることにより、本発明の実施形態にかかる基板１の全域に対して光エネルギを照射することができる。
【００９７】
なお、各露光ユニット５２は、独立して動作することができる。少なくとも、マスク位置制御部５２６は、他の露光ユニット５２のマスク位置制御部５２６から独立して動作することができる。このため、各露光ユニット５２は、それぞれ別個に、マスク５２２の位置の制御することができる。
【００９８】
次に、本発明の実施形態にかかる露光方法の動作について説明する。
【００９９】
まず、ステージ５１に、本発明の実施形態にかかる基板１が載置される。本発明の実施形態にかかる基板１の向きは、本発明の実施形態にかかる基板１に形成されるアライメントパターン１２の輪郭に含まれる直線の延伸方向が、走査方向に平行となる向きとする。このような向きに載置されると、表示領域１１ａ，１１ｂに形成される絵素の配列方向（＝マトリックスの行方向または列方向）と、走査方向とが平行となる。
【０１００】
ステージ５１によって、本発明の実施形態にかかる基板１の搬送が開始されると、ステージ５１および本発明の実施形態にかかる基板１が、露光ユニット５２に対して移動する。すなわち、ステージ５１および本発明の実施形態にかかる基板１と、露光ユニット５２とが、ステージ５１の移動方向（＝走査方向）に沿って相対移動する。
【０１０１】
ここで、各露光ユニット５２の動作を、三つのグループに分類して説明する。
【０１０２】
第一のグループは、マスク５２２を介して、一時に単一の表示領域１１ａ，１１ｂに対してのみ光エネルギを照射する露光ユニット５２のグループである。すなわち、第一のグループに属する露光ユニット５２は、ある一つの「表示領域の列」に含まれる複数の表示領域１１ａ，１１ｂに対してのみ光エネルギを照射し、同時に複数の「表示領域の列」に含まれる表示領域１１ａ，１１ｂに対しては光エネルギを照射しない。
【０１０３】
第二のグループは、マスク５２２を介して、同時に複数の表示領域１１ａ，１１ｂ（正確には、複数の「表示領域の列」に含まれる表示領域１１ａ，１１ｂ）に対して、光エネルギを照射することがある露光ユニット５２のグループである。ただし、複数の表示領域１１ａ，１１ｂが、すべて同じサイズの表示領域１１ａ，１１ｂであるグループである。すなわち、前記あるサイズを有する複数の表示領域１１ａに対してのみ光エネルギを照射するか、または、前記他のサイズを有する複数の表示領域１１ｂに対してのみ光エネルギを照射するグループである。
【０１０４】
第三のグループは、マスク５２２を介して、同時に複数の表示領域１１ａ，１１ｂ（正確には、複数の「表示領域の列」に含まれる表示領域１１ａ，１１ｂ）に対して、光エネルギを照射することがある露光ユニット５２のグループである。ただし、複数の表示領域１１ａ，１１ｂに、互いに異なるサイズの表示領域１１ａ，１１ｂが含まれるグループである。すなわち、前記あるサイズを有する複数の表示領域１１ａと前記他のサイズを有する複数の表示領域１１ｂの両方に対して光エネルギを照射することがあるグループである。
【０１０５】
本発明の実施形態にかかる基板１と各露光ユニット５２とが相対的に移動を開始すると、各露光ユニット５２のマスク５２２の一部または全部が、本発明の実施形態にかかる基板１に形成される表示領域１１ａ，１１ｂの内側に位置する。
【０１０６】
このうち、一部の露光ユニット５２のマスク５２２は、その走査方向に直角な方向の全長が、一つの表示領域１１ａ，１１ｂの走査方向に直角な方向の両端の内側に収まる。このような露光ユニット５２のグループが、第一のグループである。
【０１０７】
第一のグループの露光ユニット５２は、本発明の実施形態にかかる基板１と各露光ユニット５２とが相対的に移動すると、撮像手段５２３により、表示領域１１ａ，１１ｂに形成される所定の要素（構造物）と、マスク５２２に形成される基準パターン５２２２とが撮像される。
【０１０８】
そして、画像解析手段５２４は、表示領域１１ａ，１１ｂに形成される所定の要素のうち、走査方向に平行に延伸する所定の要素（すなわち、アライメントパターン１２に平行に延伸する要素）の輪郭と、マスク５２２に形成される基準パターン５２２２との輪郭とを認識し、これらの間の距離（走査方向に対して直角な方向の距離）を算出する。
【０１０９】
具体的には、本発明の実施形態にかかる第一の基板１ａにおいては、表示領域１１ａ，１１ｂに形成される走査線１１２またはデータ線１１３の輪郭（＝走査線１１２とデータ線１１３のうち、走査方向に平行な方向に延伸するもの（（すなわち、アライメントパターン１２に平行に延伸するもの））の輪郭）と、マスク５２２に形成される基準パターン５２２２の輪郭との間の距離を算出する。一方、本発明の実施形態にかかる第二の基板１ｂにおいては、表示領域１１ａ，１１ｂに形成されるブラックマトリックス１１７のうち、走査方向に平行に延伸する帯状または細線状の部分の輪郭と、マスク５２２に形成される基準パターン５２２２の輪郭との間の距離を算出する。
【０１１０】
マスク位置制御部５２６は、画像解析手段５２４が算出した前記距離に基づいて、マスク５２２の位置（ここでは、走査方向に対して直角な方向の位置）を調整する。すなわち、マスク位置制御部５２６は、前記距離が所定の距離を維持するように（または、前記距離が所定の公差内に収まるように）、マスク５２２の位置を調整する。
【０１１１】
そして、このような動作を、本発明の実施形態にかかる基板１と露光ユニット５２とが相対的に移動している間において継続する。
【０１１２】
これにより、マスク５２２に形成される透光パターン５２２１を透過した光エネルギが、本発明の実施形態にかかる基板１の表示領域１１ａ，１１ｂの所定の範囲に照射される。すなわち、光エネルギの照射位置の位置決めがなされる。この結果、本発明の実施形態にかかる基板１の表示領域１１ａ，１１ｂの絵素の配列の方向に沿った細長い帯状の領域に、マスク５２２に形成される透光パターン５２２１を通じて、光エネルギを精度良く照射できる。
【０１１３】
なお、本発明の実施形態にかかる基板１とマスク５２２とが相対移動すると、マスク５２２が、相対移動の方向に隣接する表示領域１１ａ，１１ｂどうしの間（＝アライメントパターン１２の延伸方向に隣接する表示領域１１ａ，１１ｂどうしの間）に位置することがある。この間においては、撮像手段５２３は、表示領域１１ａ，１１ｂに形成される所定の要素を撮像することができない。したがって、マスク位置制御部５２６は、マスク５２２の位置を精度良く調整することが不可能となるかまたは困難となる。しかしながら、表示領域１１ａ，１１ｂどうしの間は、光エネルギを照射する必要がない領域であるから（＝「露光対象領域」ではないから）、マスク５２２の位置を精度良く制御しなくてもよい。
【０１１４】
このように、表示領域１１ａ，１１ｂに形成される所定の要素を、マスク５２２の位置の制御の基準として用いると、表示領域１１ａ，１１ｂに対しては、光エネルギの照射位置を精度良く制御することができる。
【０１１５】
第二のグループの露光ユニット５２のマスク５２２は、走査方向に直角な方向に並ぶ複数の表示領域１１ａ，１１ｂの内側に入り込むことがある。具体的には、たとえば、マスク５２２の一部が、走査方向に直角な方向に互いに隣接する表示領域１１ａ，１１ｂの一方の内側に入り込み、マスク５２２の他の一部が、走査方向に直角な方向に互いに隣接する表示領域１１ａ，１１ｂの他方の内側に入り込むことがある。すなわち、マスク５２２が、互いに隣接する「表示領域の列」に含まれる複数の表示領域１１ａ，１１ｂに跨ることがある。ただし、第二のグループの露光ユニット５２のマスクは、同じサイズの複数の表示領域１１ａ，１１ｂに跨ることがあるが、互いに異なるサイズの複数の表示領域１１ａ，１１ｂに跨ることはない。換言すると、このような露光ユニット５２が、第二のグループである。
【０１１６】
第二のグループの露光ユニット５２は、本発明の実施形態にかかる基板１と各露光ユニット５２とが相対的に移動している間は、撮像手段５２３により、走査方向に直角な方向に互いに隣接する複数の表示領域１１ａ，１１ｂのうちの一つに形成される所定の要素（構造物）と、マスク５２２に形成される基準パターン５２２２とが撮像される。
【０１１７】
そして、画像解析手段５２４は、マスク５２２が跨がる複数の表示領域１１ａ，１１ｂのいずれか一つに形成される所定の要素のうち、走査方向に平行に延伸する所定の要素の輪郭と、マスク５２２に形成される基準パターン５２２２との輪郭とを認識し、これらの間の距離（走査方向に対して直角な方向の距離）を算出する。
【０１１８】
以降の動作は、第一のグループの露光ユニットと同じである。
【０１１９】
第二のグループに属する露光ユニット５２においては、本発明の実施形態にかかる基板１とマスク５２２とが相対移動すると、マスク５２２が、相対移動の方向に隣接する表示領域１１ａ，１１ｂどうしの間に位置することがある。この間においては、第一のグループと同様に、撮像手段５２３は、複数の表示領域１１ａ，１１ｂのいずれか一つに形成される所定の要素を撮像することができない。したがって、マスク位置制御部５２６は、マスク５２２の位置を精度良く調整することが不可能となるかまたは困難となる。しかしながら、表示領域１１ａ，１１ｂどうしの間は、光エネルギを照射する必要がない領域であるから、マスク５２２の位置を精度良く制御しなくてもよい。
【０１２０】
なお、前記の通り、第二のグループに属する露光ユニット５２においては、マスク５２２が跨る複数の表示領域１１ａ，１１ｂ（＝走査方向に直角な方向に隣接する表示領域１１ａ，１１ｂ）はすべて同じサイズである。換言すると、マスク５２２が跨る複数の「表示領域の列」は、すべて、表示領域１１ａ，１１ｂの位置および範囲（または、表示領域１１ａ，１１ｂどうしの間の位置および範囲）（ここでは、走査方向の位置および範囲）が同じである。したがって、本発明の実施形態にかかる基板１と露光ユニット５２とが相対的に移動すると、マスク５２２は、走査方向に直角な方向に並ぶ複数の表示領域１１ａ，１１ｂに同時に進入し、かつ同時に外側に出る。
【０１２１】
したがって、マスク５２２の位置の調整の基準として、マスク５２２が跨る複数の表示領域１１ａ，１１ｂのうちの特定の一つに形成される所定の要素を用いる構成であっても、マスク５２２の一部が前記表示領域１１ａ，１１ｂの特定の一つの外側に位置している間は、マスク５２２の他の一部も、他の表示領域１１ａ，１１ｂの外側に位置している。このように、このように、マスク５２２が跨るすべての表示領域１１ａ，１１ｂに対して（たとえば、走査方向に直角な方向に隣接する二つの表示領域１１ａ，１１ｂに対して）、光エネルギの照射位置の精度を維持することができる。
【０１２２】
第三のグループの露光ユニット５２のマスク５２２は、走査方向に直角な方向に並ぶ複数の表示領域１１ａ，１１ｂの内側に入り込むことがある。具体的には、たとえば、マスク５２２の一部が、走査方向に直角な方向に隣接する表示領域１１ａ，１１ｂの一方の内側に入り込み、マスク５２２の他の一部が、走査方向に直角な方向に隣接する表示領域１１ａ，１１ｂの他方の内側に入り込むことがある。そして、これら複数の表示領域１１ａ，１１ｂには、互いに異なるサイズのものが含まれる。換言すると、このような露光ユニット５２のグループが、第三のグループの露光ユニット５２である。
【０１２３】
図８は、マスク５２２の一部が、走査方向に直角な方向に隣接する表示領域１１ａ，１１ｂの一方に入り込み、マスク５２２の他の一部が、走査方向に直角な方向に隣接する表示領域１１ａ，１１ｂの他方に入り込んだ状態を模式的に示した平面図である。なお、図中においては、マスク５２２の透光パターン５２２１と基準パターン５２２２とを破線で示す。
【０１２４】
本発明の実施形態にかかる基板１と各露光ユニット５２とが相対的に移動すると、第三のグループの露光ユニット５２の撮像手段５２３は、アライメントパターン１２と、マスク５２２に形成される基準パターン５２２２とを撮像する。
【０１２５】
そして、第三のグループの露光ユニット５２の画像解析手段５２４は、アライメントパターン１２の輪郭のうちの直線の部分と、マスク５２２に形成される基準パターン５２２２との輪郭とを認識し、これらの間の距離（走査方向に対して直角な方向の距離）Ｅを算出する。
【０１２６】
以降の動作は、マスク５２２の位置の制御の基準として、アライメントパターン１２を用いる構成を除いては、第一のグループまたは第二のグループの露光ユニット５２と同じである。
【０１２７】
図８に示すように、第三のグループの露光ユニット５２においては、本発明の実施形態にかかる基板１とマスク５２２とが相対移動すると、マスク５２２の一部が、ある「表示領域の列」に含まれる表示領域１１ａ，１１ｂ（図８においては、あるサイズの表示領域１１ａ）どうしの間に位置するが、マスク５２２の他の一部が、他の「表示領域の列」に含まれる表示領域１１ａ，１１ｂ（図８においては、他のサイズの表示領域１１ｂ）の内側に位置することがある。この間においても、第三のグループの露光ユニット５２は、アライメントパターン１２を基準としてマスク５２２の位置の制御を継続することができる。したがって、第三のグループの露光ユニット５２は、すべての表示領域１１ａ，１１ｂに対して、光エネルギの照射位置の精度の維持を図ることができる。
【０１２８】
すなわち、第三のグループの露光ユニット５２が、第二のグループの露光ユニット５２と同じ動作をすると、次のような問題が生じる。前記の通り、第三のグループの露光ユニット５２は、それらのマスク５２２の一部が、ある「表示領域の列」に属する表示領域１１ａ，１１ｂどうしの間（＝表示領域１１ａ，１１ｂの外側）に位置するが、マスク５２２の他の一部が、他の「表示領域の列」に属する表示領域１１ａ，１１ｂの内側に位置することがある。仮に、マスク５２２の位置の制御の基準として、ある「表示領域の列」に属する表示領域１１ａ，１１ｂに形成される所定の要素を用いると、マスク５２２が、当該ある「表示領域の列」に属する表示領域１１ａ，１１ｂどうしの間に位置すると、マスク５２２の位置の制御の精度が低下することがある。このため、他の「表示領域の列」に属する表示領域１１ａ，１１ｂに対しては、光エネルギの照射位置の精度の維持が困難となることがある。
【０１２９】
特に、一方の表示領域１１ａ，１１ｂに形成される所定の要素をマスク５２２の位置の制御の基準とすると、マスク５２２の基準パターン５２２２が当該一方の表示領域１１ａ，１１ｂから外に出る際に、露光ユニット５２の撮像手段５２３は、マスク５２２の位置の制御の基準を見失う。このため、マスク５２２の基準パターン５２２２が当該一方の表示領域１１ａ，１１ｂから外に出る際に、マスク５２２が急激な位置ずれを起こすことがある。この際、マスク５２２の一部が他方の表示領域１１ａ，１１ｂの内側に位置していると、当該他方の表示領域１１ａ，１１ｂに照射される光エネルギが、急激な位置ずれを起こす。したがって、当該他方の表示領域１１ａ，１１ｂには、光エネルギの照射位置が局所的にずれた部分が形成されるおそれがある。
【０１３０】
これに対して、本発明の実施形態にかかる露光方法によれば、このような問題は発生しない。前記の通り、アライメントパターン１２は、本発明の実施形態にかかる基板１の略全長にわたって形成される。このため、アライメントパターン１２を、マスク５２２の位置の制御の基準として用いる構成であれば、マスク５２２の一部が、ある「表示領域の列」に属する表示領域１１ａ，１１ｂの外側に位置している間においても、マスク５２２の位置の制御の精度を維持することができる。したがって、すべての表示領域１１ａ，１１ｂに対して、光エネルギの照射位置の精度の維持を図ることができる。
【０１３１】
このように、本発明の実施形態にかかる露光方法によれば、本発明の実施形態にかかる基板１（すなわち、多面取りの基板）に形成されるすべての表示領域１１ａ，１１ｂに対して、光エネルギの照射位置の精度を維持することができる。特に、互いに異なるサイズの表示領域１１ａ，１１ｂが形成される基板であっても、すべてのサイズの表示領域１１ａ，１１ｂに対して、光エネルギの照射位置の精度を維持することができる。さらに、マスク５２２の急激な位置ずれの発生が防止できる。したがって、本発明の実施形態にかかる基板１から製造される液晶表示パネル用の基板（または、液晶表示パネル）の品質の維持（＝品質の均一化）や向上、または不良品の発生の防止を図ることができる。
【０１３２】
次に、本発明の実施形態にかかる基板１に対する露光の詳細な内容（すなわち、本発明の実施形態にかかる配向処理方法の詳細な内容）について説明する。前記の通り、本発明の実施形態にかかる露光方法は、光配向のために配向膜に光エネルギを照射する方法に適用できる。そして、本発明の実施形態にかかる露光方法を用いて、配向分割を実現する。配向分割は、液晶表示パネルの一つの絵素内に複数の配向状態を形成することで、視野角特性の平均化を図る方法である。
【０１３３】
本発明の実施形態にかかる露光方法を用いて、一つの絵素内の所定の領域ごとに、互いに異なる方向から光エネルギを照射する。配向膜の配向は、光エネルギの照射方向に応じて定まるから、一つの絵素内の配向膜に対して、互いに異なる方向から光エネルギが照射されると、一つの絵素内の配向膜には、互いに配向状態が異なる複数の領域が形成される。
【０１３４】
図９は、本発明の実施形態にかかる基板の各絵素に対する光エネルギの照射の態様を模式的に示した斜視図である。図９（ａ）は、本発明の実施形態にかかる第一の基板１ａに対する光エネルギの照射の態様を示し、図９（ｂ）は、本発明の実施形態にかかる第二の基板１ｂに対する光エネルギの照射の態様を示す。そして、図９（ｃ）は、本液晶表示パネルの一つの絵素における液晶の向き（＝配向の状態）を、模式的に示した平面図である。
【０１３５】
本発明の実施形態にかかる第一の基板１ａについては、図９（ａ）に示すように、各絵素の両側に設けられるデータ線１１３どうしの略中間において分割される二つの領域を想定する。そして、各領域に対して、互いに異なる方向から光エネルギが照射される。具体的には、絵素の法線に対して傾斜する方向（図９（ａ）においては、傾斜角度θ）とされる。そして、それぞれ照射される光エネルギの光軸を絵素の面に投影した場合に、これら投影された光軸が、データ線１１３に略平行であって、向きが反対とされる。なお、この角度θの具体的な値は、適宜設定されるものであり、特に限定されるものではない。
【０１３６】
本発明の実施形態にかかる第二の基板１ｂの絵素については、各絵素を区画するブラックマトリックス１１７の四辺のうち、前記本発明の実施形態にかかる第一の基板１ａと貼り合わせられた際に、本発明の実施形態にかかる第一の基板１ａの走査線１１２と平行となる二辺の略中央で二分されて形成される二つの領域を想定する。そして、それぞれの領域に対して、互いに異なる方向から、光エネルギが照射される。具体的には、各領域に照射される光エネルギは、絵素の面の法線に対して所定の角度θをもって傾斜する。そして、照射される光エネルギの光軸を絵素の面に投影した場合において、投影された光エネルギの光軸が、本発明の実施形態にかかる第一の基板１ａの走査線１１２に平行で、かつ互いに反対向きとなる。この角度θの具体的な値は、本発明の実施形態にかかる第一の基板１ａと同様に、適宜設定されるものであり、特に限定されるものではない。
【０１３７】
本発明の実施形態にかかる第一の基板１ａと本発明の実施形態にかかる第二の基板１ｂとが貼り合わせられると、図９（ｃ）に示すように、両基板１ａ，１ｂの間に充填される液晶の向きは、各基板１ａ，１ｂの各絵素の各領域の配向膜に施された配向の向き（＝光エネルギの照射の向き）に応じて定まる。この結果、各絵素内には、液晶の向きが互いに相違する複数の領域（本発明の実施形態においては、四つの領域）が形成される。
【０１３８】
図１０（ａ）は、本発明の実施形態にかかる第一の基板１ａに対して本発明の実施形態にかかる露光方法を適用する際に用いられるマスク５２２ａ（以下、「第一のマスク」と称する）の透光パターン５２２１ａの構成を、模式的に示した平面図である。図１０（ｂ）は、第一のマスク５２２ａに形成される透光パターン５２２１ａと、本発明の実施形態にかかる第一の基板１ａの表示領域１１ａ，１１ｂに設けられる絵素のパターンとの寸法および位置の関係を模式的に示した平面図である。
【０１３９】
図１０（ａ）に示すように、第一のマスク５２２ａは、略長方形の板状の部材である。そして、光エネルギが透過できるスリット状の複数の透光パターン５２２１ａが、所定のピッチＰａをもって配列されるように形成される。この透光パターン５２２１ａのピッチＰａは、図１０（ｂ）に示すように、本発明の実施形態にかかる第一の基板１ａの表示領域１１ａ，１１ｂに形成されるデータ線１１３または走査線１１２のピッチに等しく設定される（図１０（ａ）においてはデータ線１１３のピッチに等しく設定される構成を示す）。また、各透光パターン５２２１ａの寸法（ここでは、透光パターン５２２１ａの配列方向の寸法）Ｌａは、前記ピッチＰａの約１／２に設定される。
【０１４０】
図１１は、本発明の実施形態にかかる第二の基板１ｂに対して、本発明の実施形態にかかる露光方法を適用する際に用いられるマスク５２２ｂ（以下、「第二のマスク」と称する）と、本発明の実施形態にかかる第二の基板１ｂの表示領域１１ａ，１１ｂに形成されるブラックマトリックス１１７との位置および寸法の関係を、模式的に示した平面図である。
【０１４１】
第二のマスク５２２ｂの透光パターン５２２１ｂは、全体的には第一のマスク５２２ａの透光パターン５２２１ａと同様の構成を有する（図１０（ａ）参照）。すなわち、光エネルギが透過できるスリット状の透光パターン５２２１ｂが、所定のピッチＰｂをおいて配列されるように形成される。この透光パターン５２２１ｂのピッチは、本発明の実施形態にかかる第二の基板１ｂの表示領域１１ａ，１１ｂに形成されるブラックマトリックス１１７のピッチ（ここでは、本発明の実施形態にかかる第一の基板１ａと貼り合わせられた際に、本発明の実施形態にかかる第一の基板１ａの走査線１１２に平行となる辺のピッチ）と等しく設定される。また、透光パターン５２２１ｂの寸法Ｌｂ（ここでは、透光パターン５２２１ｂの配列方向の沿った寸法）は、前記ピッチＰｂの約１／２の寸法に設定される。
【０１４２】
第一のマスク５２２ａを用い、本発明の実施形態にかかる露光方法によって、本発明の実施形態にかかる第一の基板１ａに形成される配向膜に対して光エネルギを照射する（＝配向処理を施す）。同様に、第二のマスク５２２ｂを用い、本発明の実施形態にかかる露光方法によって、本発明の実施形態にかかる第二の基板１ｂに形成される配向膜に対して光エネルギを照射する（＝配向処理を施す）。
【０１４３】
本発明の実施形態にかかる第一の基板１ａに対する露光は次のとおりである。第一のグループおよび第二のグループの露光ユニット５２においては、撮像手段５２３が、ある一つの表示領域１１ａ，１１ｂに形成される所定の要素（＝走査線１１２またはデータ線１１３）と、第一のマスク５２２ａの基準パターン５２２２とを撮像する。そして、画像解析手段５２４が、所定の要素の輪郭と基準パターン５２２２の輪郭との間の距離を算出し、算出した距離に基づいて、マスク位置制御部５２６が、第一のマスク５２２ａの位置を制御する。第三のグループの露光ユニット５２においては、撮像手段５２３が、アライメントパターン１２と、第一のマスク５２２ａの基準パターン５２２２とを撮像する。そして、画像解析手段５２４が、アライメントパターン１２の輪郭の直線の部分と基準パターン５２２２の輪郭との間の距離を算出し、算出した距離に基づいて、マスク位置制御部５２６が、第一のマスク５２２ａの位置を制御する。
【０１４４】
本発明の実施形態にかかる第二の基板１ｂに対する露光は次のとおりである。第一のグループおよび第二のグループの露光ユニット５２においては、撮像手段５２３が、ある一つの表示領域１１ａ，１１ｂに形成されるブラックマトリックス１１７と、第二のマスク５２２ｂの基準パターン５２２２とを撮像する。そして、画像解析手段５２４が、ブラックマトリックス１１７のうちの走査方向に平行な線状または帯状の部分の輪郭と、基準パターン５２２２の輪郭との間の距離を算出する。算出した距離に基づいて、マスク位置制御部５２６が、第二のマスク５２２ｂの位置を制御する。第三のグループの露光ユニット５２においては、撮像手段５２３が、アライメントパターン１２と、第二のマスク５２２ｂの基準パターン５２２２とを撮像する。そして、画像解析手段５２４が、アライメントパターン１２の輪郭の直線の部分と基準パターン５２２２の輪郭との間の距離を算出し、算出した距離に基づいて、マスク位置制御部５２６が、第二のマスク５２２ｂの位置を制御する。
【０１４５】
このような動作により、本発明の実施形態にかかる基板１の表示領域１１ａ，１１ｂに形成される絵素の所定の一部（＝走査方向に直角な方向の半分の領域）に対して、精度良く光エネルギを照射できる。
【０１４６】
本発明の実施形態にかかる第一の基板１ａと本発明の実施形態にかかる第二の基板１ｂは、いずれも、一回目の走査によって、表示領域１１ａ，１１ｂに形成される各絵素の半分の領域（＝各絵素の想定上の二つの領域の一方）に、光エネルギが照射される。次いで、二回目の走査において、第一のマスク５２２ａと本発明の実施形態にかかる第一の基板１ａ、および第二のマスク５２２ｂと本発明の実施形態にかかる第二の基板１ｂとの位置（＝走査方向に直角な方向の位置）が、前記ピッチＬa，Ｌｂの約１／２だけずらされ、各絵素の残りの半分の領域（＝各絵素の想定上の二つの領域の他方）に、光エネルギが照射される。この結果、各絵素の半分ずつの領域に対して、異なる方向の配向処理が施される。
【０１４７】
本発明の実施形態にかかる露光方法によれば、すべての表示領域に対して精度良く光エネルギを照射できる。また、マスクの急激な位置ずれの発生を防止できる。したがって、配向分割において、各領域の境界において、光漏れなどの発生が防止または抑制され、液晶表示パネルの表示品位の向上を図ることができる。したがって、高品位な液晶表示パネルを提供できる。
【０１４８】
次に、本発明の実施形態にかかる基板１の製造方法と、本発明の実施形態にかかる基板１が適用された液晶表示パネル（＝本液晶表示パネル）の製造方法の全体的な流れについて、簡単に説明する。
【０１４９】
本発明の実施形態にかかる第一の基板１ａ（すなわち、ＴＦＴアレイ基板を製造するための基板）の製造方法の全体的な流れは、次のとおりである。
【０１５０】
まず、ガラスなどからなる透明基板の表面に、複数の「一枚ずつの液晶表示パネル用の基板となった状態において表示領域となる領域」（前記の通り、単に、「表示領域」と称する）が設定され、各表示領域１１ａ，１１ｂに、走査線１１２およびスイッチング素子１１４（＝薄膜トランジスタ）のゲート電極が形成される。同じ工程において、表示領域１１ａ，１１ｂの外側に、アライメントパターン１２が形成される。なお、アライメントパターン１２は、この工程とは異なる別の工程において形成される構成であってもよい。
【０１５１】
具体的には、まず、透明基板の片側表面の全面にわたって、クロム、タングステン、モリブデン、アルミニウムなどからなる単層または多層の導体膜（以下、第一の導体膜と称する）が形成される。この第一の導体膜の形成方法には、公知の各種スパッタリング法などが適用できる。なお、この第一の導体膜の厚さは特に限定されるものではないが、たとえば３００ｎｍ程度の厚さが適用できる。
【０１５２】
そして、形成された第一の導体膜が、表示領域１１ａ，１１ｂにおいては走査線１１２およびスイッチング素子１１４のゲート電極の形状にパターニングされる。また、表示領域１１ａ，１１ｂの外側においては、アライメントパターン１２の形状にパターニングされる。第一の導体膜のパターニングには、公知の各種ウェットエッチングが適用できる。第一の導体膜がクロムからなる構成においては、（ＮＨ４）２［Ｃｅ（ＮＨ３）６］＋ＨＮＯ３＋Ｈ２Ｏ液を用いたウェットエッチングが適用できる。
【０１５３】
次に、前記工程を経た透明基板の表面に絶縁膜（＝ゲート絶縁膜）が形成される。絶縁膜には、厚さ３００ｎｍ程度のＳｉＮｘ（窒化シリコン）等が適用できる。絶縁膜の形成方法には、プラズマＣＶＤ法などが適用できる。絶縁膜が形成されると、表示領域１１ａ，１１ｂにおいては、走査線１１２およびスイッチング素子１１４のゲート電極が絶縁膜により覆われる。
【０１５４】
次いで、表示領域１１ａ，１１ｂにおいては、絶縁膜の表面の所定の位置に所定の形状の半導体膜が形成される。具体的にはこの半導体膜は、絶縁膜を挟んでゲート電極に重畳する位置に形成される。この半導体膜は、第一のサブ半導体膜と第二のサブ半導体膜とからなる二層構造を有する。第一のサブ半導体膜には、厚さが１００ｎｍ程度のアモルファスシリコンなどが適用できる。第二のサブ半導体膜には、厚さが２０ｎｍ程度のｎ＋型のアモルファスシリコンなどが適用できる。
【０１５５】
第一のサブ半導体膜は、エッチングによりソース配線やドレイン配線などを形成する工程において、エッチングストッパ層として機能する。第二のサブ半導体膜は、第一のサブ半導体膜とソース電極やドレイン電極（これらは後の工程で形成される）とのオーミックコンタクトを良好にするためのものである。
【０１５６】
この半導体膜（第一のサブ半導体膜と第二のサブ半導体膜）の形成方法には、プラズマＣＶＤ法とフォトリソグラフィ法が適用できる。
【０１５７】
すなわち、まずプラズマＣＶＤ法を用いて、半導体膜（第一のサブ半導体膜と第二のサブ半導体膜）の材料を、前記工程を経た透明基板の片側表面に堆積させることにより半導体膜が形成される。そして、形成された半導体膜（第一のサブ半導体膜と第二のサブ半導体膜）は、フォトリソグラフィ法などにより、所定の形状にパターニングされる。具体的には、形成された半導体膜の表面にフォトレジスト材料の層が形成される。フォトレジスト材料の層の形成には、スピンコータなどが適用できる。そして、形成されたフォトレジスト材料の層に、フォトマスクを用いて露光処理が施され、その後現像処理が施される。そうすると、表示領域１１ａ，１１ｂにおける半導体膜の表面には、所定のパターンのフォトレジスト材料の層が残る。
【０１５８】
そして、パターニングされたフォトレジスト材料の層をマスクとして用いて、半導体膜のパターニングが行われる。このパターニングには、たとえばＨＦ＋ＨＮＯ３溶液を用いたウェットエッチングやＣｌ２とＳＦ６ガスを用いたドライエッチングが適用できる。これにより、半導体膜（第一のサブ半導体膜と第二のサブ半導体膜）が、絶縁膜を介してゲート電極に重畳する位置に形成される。
【０１５９】
次いで、表示領域１１ａ，１１ｂにおいては、データ線１１３、ドレイン配線およびスイッチング素子１１４のドレイン電極が、同じ材料により同じ工程で形成される。なお、アライメントパターン１２が、前記「各表示領域１１ａ，１１ｂに、走査線１１２およびスイッチング素子１１４（＝薄膜トランジスタ）のゲート電極が形成される工程」において形成されない場合には、この工程において同時に、アライメントパターン１２が形成される構成が適用できる。
【０１６０】
具体的には、前記工程を経た透明基板の表面に、第二の導体膜が形成される。この第二の導体膜は、チタン、アルミニウム、クロム、モリブデンなどからなる二層以上の積層構造を有する。本発明の実施形態にかかる第一の基板１ａにおいては、第二の導体膜が二層構造を有する。すなわち、第二の導体膜は、透明基板に近い側の第一のサブ導体膜と、遠い側の第二のサブ導体膜とからなる二層構造を有する。第一のサブ導体膜には、チタンなどが適用できる。第二のサブ導体膜には、アルミニウムなどが適用できる。
【０１６１】
第二の導体膜の形成方法には、公知の各種スパッタリング法などが適用できる。第二の導体膜のパターニングには、Ｃｌ２とＢＣｌ３ガスを用いたドライエッチングおよび燐酸、酢酸、硝酸を用いたウェットエッチングが適用できる。このパターニングによって、第二の導体膜からなるデータ線１１３、ドレイン配線、ドレイン電極が形成される。このパターニングにおいては、第一のサブ半導体膜をエッチングストッパ層として、第二のサブ半導体膜もエッチングされる。そして、この工程において、同時に、アライメントパターン１２がパターニングされる。
【０１６２】
以上の工程を経ると、表示領域１１ａ，１１ｂには、スイッチング素子１１４（すなわち、ゲート電極、ソース電極、ドレイン電極および絶縁膜）、走査線１１２およびデータ線１１３が形成される。
【０１６３】
次いで、前記工程を経た透明基板に、パッシベーション膜が形成される。このパッシベーション膜には厚さが３００ｎｍ程度のＳｉＮｘ（窒化シリコン）が適用できる。パッシベーション膜の形成方法には、プラズマＣＶＤ法などが適用できる。
【０１６４】
さらに、パッシベーション膜の表面に有機絶縁膜が形成される。有機絶縁膜には、アクリル系の樹脂材料が適用できる。形成された有機絶縁膜は、フォトリソグラフィ法などによって、所定のパターンにパターニングされる。具体的には、表示領域１１ａ，１１ｂにおいては、絵素電極１１１とドレイン配線とを電気的に接続するための開口部（すなわちコンタクトホール）が形成される。有機絶縁膜がパターニングされて開口部が形成されると、開口部を通じて、パッシベーション膜の所定の部分が露出する。
【０１６５】
そしてパターニングされた有機絶縁膜をマスクとして用いて、パッシベーション膜および絶縁膜がパターニングされる。このパターニングによって、パッシベーション膜および絶縁膜のうち、有機絶縁膜の開口部から露出する部分が除去される。これによりパッシベーション膜に開口部（＝コンタクトホール）が形成される。このパッシベーション膜および絶縁膜のパターニングには、ＣＦ４＋Ｏ２ガスもしくはＳＦ６＋Ｏ２ガスを用いたドライエッチングが適用できる。
【０１６６】
次いで、表示領域１１ａ，１１ｂに絵素電極１１１が形成される。絵素電極１１１には、たとえば、厚さが１００ｎｍ程度のＩＴＯ（Indium Tin Oxide：インジウム酸化スズ）が適用できる。また絵素電極１１１の形成方法には、公知の各種スパッタリング法が適用できる。
【０１６７】
以上の工程を経て、本発明の実施形態にかかる第一の基板１ａが製造される。
【０１６８】
本発明の実施形態にかかる第二の基板１ｂ（すなわち、カラーフィルタを製造するための基板）の製造方法の全体的な流れは、次のとおりである。本発明の実施形態にかかる第二の基板１ｂの製造方法には、ブラックマトリックス形成工程と、着色層形成工程と、保護膜形成工程と、透明電極（共通電極）形成工程とが含まれる。
【０１６９】
ブラックマトリックス形成工程の内容は、たとえば樹脂ＢＭ法であれば次のとおりである。まず、透明基板の表面にＢＭレジスト（黒色着色剤を含有する感光性樹脂組成物をいう）などが塗布される。次いで塗布されたＢＭレジストがフォトリソグラフィ法などを用いて所定のパターンに形成される。これにより、「一枚の表示パネル用の基板となった状態において表示領域となる領域」（前記のとおり、単に「表示領域」と称する）に、所定のパターンのブラックマトリックス１１７が形成される。この工程において、同時に、アライメントパターン１２が形成される。なお、この工程においてアライメントパターン１２が形成されない構成であってもよい（後述）。
【０１７０】
着色層形成工程では、カラー表示用の赤色、緑色、青色の各色の着色層１１９が形成される。たとえば着色感材法であれば次のとおりである。まず、ブラックマトリックス１１７が形成された透明基板の表面に、着色感材（感光性材料に所定の色の顔料を分散した溶液をいう）が塗布される。次いで、塗布された着色感材が、フォトリソグラフィ法などを用いて所定のパターンに形成される。そしてこの工程が、赤色、緑色、青色の各色について行われる。これにより各色の着色層１１９が形成される。なお、着色層形成工程において、併せてセルギャップを規定するためのスペーサが形成されることがある。すなわち、着色感材からなる柱状の構造物（＝スペーサ）が、対向基板の所定の箇所（たとえば、ブラックマトリックス１１７の表面）に形成されることがある。
【０１７１】
そして、アライメントパターン１２が、ブラックマトリックス形成工程において形成されない構成である場合には、着色層形成工程において形成される。すなわち、赤色、緑色、青色の着色層のいずれかが形成されると同時に、アライメントパターン１２が形成される。
【０１７２】
ブラックマトリックス形成工程で用いる方法は、樹脂ＢＭ法に限定されるものではない。たとえばクロムＢＭ法、重ね合わせ法などの公知の各種方法が適用できる。着色層形成工程で用いる方法も、着色感材法に限定されるものではない。たとえば印刷法、染色法、電着法、転写法、エッチング法など、公知の各種方法が適用できる。また、先に着色層１１９が形成され、その後にブラックマトリックス１１７が形成される背面露光法を用いてもよい。
【０１７３】
保護膜形成工程では、ブラックマトリックス１１７および着色層１１９の表面に、保護膜が形成される。たとえば、前記工程を経た透明基板の表面に、スピンコータを用いて保護膜材料が塗布される方法（全面塗布法）や、印刷またはフォトリソグラフィ法などを用いて所定のパターンの保護膜が形成される方法（パターニング法）などが適用できる。保護膜材料には、たとえばアクリル樹脂やエポキシ樹脂などが適用できる。なお、保護膜が形成されない構成であってもよい。
【０１７４】
透明電極（共通電極）膜形成工程においては、保護膜の表面（保護膜が形成されない構成においては、ブラックマトリックス１１７および各色の着色層１１９の表面）に共通電極が形成される。たとえばマスキング法であれば、前記工程を経た透明基板の表面にマスクが配置され、スパッタリングなどによってインジウム酸化スズ（ＩＴＯ：Indium Tin Oxide）などを蒸着させて透明電極（共通電極）が形成される。
【０１７５】
このような工程を経て、本発明の実施形態にかかる第二の基板１ｂが製造される。
【０１７６】
つぎに、本液晶表示パネルの製造方法について説明する。
【０１７７】
まず、前記工程を経て製造された本発明の実施形態にかかる第一の基板１ａと、本発明の実施形態にかかる第二の基板１ｂのそれぞれの表示領域１１ａ，１１ｂの表面に、配向膜が形成される。そして形成された配向膜に配向処理が施される。この配向処理には、本発明の実施形態にかかる露光方法が用いられる。その後、本発明の実施形態にかかる第一の基板１ａと本発明の実施形態にかかる第二の基板１ｂとが貼り合わせるとともに、これらの間に液晶が充填される。そして、一枚ずつの液晶表示パネルに分断される。
【０１７８】
まず配向材塗布装置などを用いて、本発明の実施形態にかかる基板１の表示領域１１ａ，１１ｂの表面に、配向材が塗布される。配向材とは、配向膜の原料となる物質を含む溶液をいう。配向膜にはたとえばポリイミドが適用できる。このため、配向材には、ポリイミドを溶質とする溶液が適用できる。配向材塗布装置には、インクジェット方式の印刷装置（ディスペンサ）が適用できる。塗布された配向材は、配向膜焼成装置などを用いて加熱され、焼成される。そして、焼成された配向膜に配向処理が施される。この配向処理には、本発明の実施形態にかかる露光方法（＝本発明の実施形態にかかる配向処理方法）が適用される。
【０１７９】
次いで、シールパターニング装置などを用いて、本発明の実施形態にかかる第一の基板１ａ、または、本発明の実施形態にかかる第二の基板１ｂに、各表示領域１１ａ，１１ｂを囲繞するように、シール材が塗布される。
【０１８０】
そしてスペーサ散布装置などを用いて、セルギャップを所定の値に均一に保つためのスペーサ（たとえば、所定の径を有するプラスティックビーズなど）が、本発明の実施形態にかかる第一の基板１ａ、または、本発明の実施形態にかかる第二の基板１ｂの表面に散布される。なお、本発明の実施形態にかかる第二の基板１ｂの表面に柱状のスペーサが形成される構成であれば、スペーサは散布されない。
【０１８１】
そして、液晶滴下装置などを用いて、本発明の実施形態にかかる第一の基板１ａまたは、本発明の実施形態にかかる第二の基板１ｂの表面のシール材に囲まれる領域に、液晶が滴下される。
【０１８２】
そして、減圧雰囲気下で本発明の実施形態にかかる第一の基板１ａと、本発明の実施形態にかかる第二の基板１ｂとが貼り合わせられる。そしてシール材が固化させられる。たとえば、紫外線硬化型のシール材が適用される場合には、貼り合わせの後、シール材に紫外線が照射される。
【０１８３】
その後、一枚ずつの液晶表示パネルに分断される。分断された一枚ずつの液晶表示パネルは、所定の検査（たとえば、点灯検査など）を経た後、その両側の表面に偏光フィルムが、クロスニコルの態様で貼り付けられる。また、検査完了後、検査用の端子が設けられる領域が分断される。
【０１８４】
このような工程を経て、本液晶表示パネルが製造される。
【０１８５】
本発明の実施形態にかかる露光方法により配向処理が施された液晶表示パネルによれば、一枚の基板から製造されるすべての液晶表示パネルについて、配向状態の均一化を図ることができる。特に、一枚の本発明の実施形態にかかる基板から、異なるサイズの液晶表示パネルを製造する場合において、配向状態の均一化を図ることができる。このため、表示品位の高い液晶表示パネルを提供することができる。
【０１８６】
本発明にかかる基板および本発明にかかる露光方法によれば、一枚のマスクが互いにサイズの異なる複数の露光対象領域または複数の表示領域に跨った場合であっても、複数の露光対象領域または複数の表示領域のそれぞれに対して、光エネルギの照射位置および範囲の精度の維持を図ることができる。
【０１８７】
すなわち、一枚のマスクが互いにサイズの異なる複数の露光対象領域または複数の表示領域に跨ることがある場合においては、マスクの位置の制御に複数の露光対象領域または複数の表示領域のいずれかに形成される所定の要素を用いると、マスクが当該いずれかの露光対象領域またはいずれかの表示領域の外側に位置すると、マスクの位置の高精度な制御が困難となる。このため、他のいずれかの露光対象領域または他のいずれかの表示領域に対する光エネルギの照射位置および範囲の精度が低下するおそれがある。
【０１８８】
これに対して、本発明にかかる基板および本発明にかかる露光方法によれば、アライメントパターンを、露光における光エネルギの照射位置および範囲の制御に用いることにより、互いにサイズの異なる複数の露光対象領域または複数の表示領域のいずれに対しても、マスクの位置の高精度な制御を継続することができる。
【０１８９】
本発明にかかる光配向処理方法によれば、すべての表示領域に形成される絵素に対して、精度良く光エネルギを照射することができる。したがって、基板に形成されるすべての表示領域において、一つの絵素に形成される互いに配向状態が異なる複数の領域を形成する際に、配向状態が異なる複数の領域どうしの境界において配向の乱れが発生することを防止または抑制できる。このため、一枚の基板から製造されるすべての表示パネルにおいて、液晶の配向の乱れの発生を防止または抑制できる。したがって、一枚の基板から製造される複数の表示パネルの表示品位の維持または向上を図ることができる。また、一枚の基板から製造される複数の表示パネルに不良品が含まれることを防止または抑制できる。
【０１９０】
以上、本発明の実施形態について、図面を参照して詳細に説明したが、本発明は、前記実施形態に何ら限定されるものではなく、本発明の趣旨を逸脱しない範囲において、種々の改変が可能である。
【０１９１】
たとえば、前記実施形態においては、光配向における露光方法について示したが、露光対象物とマスクとを相対的に移動させながら露光を行う工程であれば、配向処理以外の工程に対しても適用できる。
【図１】
2011090057.tif 000003
【図２】
2011090057.tif 000004
【図３】
2011090057.tif 000005
【図４】
2011090057.tif 000006
【図５】
2011090057.tif 000007
【図６】
2011090057.tif 000008
【図７】
2011090057.tif 000009
【図８】
2011090057.tif 000010
【図９】
2011090057.tif 000011
【図１０】
2011090057.tif 000012
【図１１】
2011090057.tif 000013
【国際調査報告】
2011090057.tif 000014
2011090057.tif 000015
2011090057.tif 000016
2011090057.tif 000017